(57)【要約】【課題】本発明はプラズマディスプレイパネルのサステイン駆動装置及び駆動方法に関するもので、特に、消費電力を低くすることと同時に駆動波形を安定化させるようにしたプラズマディスプレイパネルのサステイン駆動装置及び駆動方法を提供する。【解決手段】本発明に係るプラズマディスプレイパネルのサステイン駆動装置は、プラズマディスプレイパネルの維持駆動に必要な電圧の１／２を持つ電圧源と、電圧源とパネルの間に連結されてスイッチングによりＬＣ共振回路を構成してパネルの電力を回収してパネルに維持駆動電圧を供給するエネルギー回収回路を具備することを特徴とする。【選択図】　図５
2004029817.tif 000002
【特許請求の範囲】
【請求項１】
プラズマディスプレイパネルの放電維持駆動に必要な電圧の１／２を持つ電圧源と、前記電圧源とパネルの間に連結されてスイッチングによりＬＣ共振回路を構成して前記パネルの電力を回収して前記パネルに前記維持駆動電圧を供給するエネルギー回収回路を具備することを特徴とするプラズマディスプレイパネルのサステイン駆動装置。
【請求項２】
前記エネルギー回収回路はパネルと直列接続されて直列共振回路を構成するインダクターと、前記インダクターを含み、電圧源とパネルの間に形成された充電パスと、前記インダクターを含み、電圧源とパネルの間に形成された放電パスと、前記電圧源に接続されて充電された電圧を利用して前記電圧源の電圧より高い電圧で前記パネルを充電させるための充電キャパシタを具備することを特徴とする請求項１記載のプラズマディスプレイパネルのサステイン駆動装置。
【請求項３】
前記充電パスは前記電圧源と前記充電キャパシタ及びインダクターの間の第１ノードの間に接続された第１スイッチと、前記電圧源と前記インダクター及びパネルの間の第２ノードの間に接続された第２スイッチを具備することを特徴とする請求項２記載のプラズマディスプレイパネルのサステイン駆動装置。
【請求項４】
前記放電パスは前記電圧源と前記第１ノードの間に接続された第３スイッチと、前記第２ノードと基底電圧源の間に接続された第４スイッチを具備することを特徴とする請求項３記載のプラズマディスプレイパネルのサステイン駆動装置。
【請求項５】
前記第１ノードとインダクターの間に接続された第１ダイオードと、前記第３スイッチとインダクターの間に接続された第２ダイオードと、前記電圧源と充電キャパシタの間に接続された第３ダイオードをさらに具備することを特徴とする請求項４記載のプラズマディスプレイパネルのサステイン駆動装置。
【請求項６】
前記電圧源と前記第１、第３スイッチの間の第３ノードの間に接続された第４ダイオードをさらに具備することを特徴とする請求項５記載のプラズマディスプレイパネルのサステイン駆動装置。
【請求項７】
前記エネルギー回収回路は第１インダクターを含んで前記電圧源とパネルの間に形成された放電パスと、第２インダクターを含んで前記放電パスと分離するように前記電圧源とパネルの間に形成された充電パスと、前記電圧源に接続されて充電された電圧を利用して前記電圧源の電圧より高い電圧で前記パネルを充電させるための充電キャパシタを具備することを特徴とする請求項１記載のプラズマディスプレイパネルのサステイン駆動装置。
【請求項８】
前記充電パスは前記充電キャパシタ及び前記第２インダクターの間の第１ノードと電圧源の間に接続された第１スイッチと、前記充電キャパシタに接続されて前記電圧源と前記第２インダクター及び前記パネルの間の第２ノードの間に接続された第２スイッチを具備することを特徴とする請求項７記載のプラズマディスプレイパネルのサステイン駆動装置。
【請求項９】
前記放電パスは前記電圧源と前記第１インダクターの間に接続された第３スイッチと、前記第１インダクターと前記パネルの間の第３ノードと基底電圧源の間に接続された第４スイッチを具備することを特徴とする請求項８記載のプラズマディスプレイパネルのサステイン駆動装置。
【請求項１０】
前記電圧源と第１、第３スイッチの間の第４ノードの間に第１ダイオードをさらに具備することを特徴とする請求項９記載のプラズマディスプレイパネルのサステイン駆動装置。
【請求項１１】
サステイン電圧値を持つサステインパルスをスキャン電極とサステイン電極に交番的に供給するためのプラズマディスプレイパネルのサステイン駆動装置において、前記プラズマディスプレイパネルの維持駆動に必要なサステイン電圧の１／２の電圧値を持つ電圧源と、前記電圧源に接続されて前記電圧源から１／２サステイン電圧を倍圧して前記サステイン電圧を生成する倍圧回路と、前記倍圧回路に接続されて前記パネルに一定なサステイン電圧を供給するために前記倍圧回路からのサステイン電圧を充電するサステインキャパシタを具備することを特徴とするプラズマディスプレイパネルのサステイン駆動装置。
【請求項１２】
前記倍圧回路は前記電圧源とサステインキャパシタの間に接続された第１ダイオードと、前記電圧源とサステインキャパシタの間に接続されて前記第１ダイオードと竝列接続された第１スイッチ及び充電キャパシタを具備することを特徴とする請求項１１記載のプラズマディスプレイパネルのサステイン駆動装置。
【請求項１３】
前記充電キャパシタには、前記電圧源と基底電圧源の間に電流パスが形成されて１／２サステイン電圧が充電された後、前記第１スイッチがターンオンされて１／２サステイン電圧が自身の負極性の端子に連結されて前記充電されていた１／２サステイン電圧と合わせられることにより、サステイン電圧が充電されることを特徴とする請求項１２記載のプラズマディスプレイパネルのサステイン駆動装置。
【請求項１４】
前記サステインキャパシタは前記充電キャパシタに充電されていたサステイン電圧が前記パネルに供給される際に前記パネルが安定的に前記サステイン電圧を維持するようにサステイン電圧を供給することを特徴とする請求項１３記載のプラズマディスプレイパネルのサステイン駆動装置。
【請求項１５】
前記倍圧回路とパネルの間に接続されて直列共振回路を構成するインダクターをさらに具備することを特徴とする請求項１１記載のプラズマディスプレイパネルのサステイン駆動装置。
【請求項１６】
前記倍圧回路とサステインキャパシタの間に接続されて逆電流が流れるのを防止するための第２ダイオードをさらに具備することを特徴とする請求項１１記載のプラズマディスプレイパネルのサステイン駆動装置。
【請求項１７】
前記倍圧回路とパネルの間に接続されて前記パネルに前記サステイン電圧を供給するための第２スイッチと、前記倍圧回路と基底電圧源の間に接続されて前記充電キャパシタに１／２サステイン電圧を充電させるための第３スイッチをさらに具備することを特徴とする請求項１１記載のプラズマディスプレイパネルのサステイン駆動装置。
【請求項１８】
前記倍圧回路と第３スイッチの間に接続されて逆電流が流れるのを防止するための第３ダイオードをさらに具備することを特徴とする請求項１７記載のプラズマディスプレイパネルのサステイン駆動装置。
【請求項１９】
前記パネルと電圧源の間に接続されて前記パネルを放電させるための第１インダクターと、前記倍圧回路とパネルの間に接続されて前記パネルを充電させるための第２インダクターをさらに具備することを特徴とする請求項１１記載のプラズマディスプレイパネルのサステイン駆動装置。
【請求項２０】
前記第１インダクターの容量は前記第２インダクターの容量より少ないことを特徴とする請求項１９記載のプラズマディスプレイパネルのサステイン駆動装置。
【請求項２１】
プラズマディスプレイパネルの維持駆動に必要な電圧の１／２を持つ電圧源と、前記電圧源とパネルの間に連結されてスイッチングによりＬＣ共振回路を構成して前記パネルの電力を回収して前記パネルに前記維持駆動電圧を供給するエネルギー回収回路と、前記電圧源に接続されて充電された電圧を利用して前記電圧源の電圧より高い電圧で前記パネルを充電させるための充電キャパシタと、前記電圧源での逆電流を遮断すると同時に前記１／２の電圧を前記エネルギー回収回路と充電キャパシタにそれぞれ分離して印加させるための分離ダイオードを具備することを特徴とするプラズマディスプレイパネルのサステイン駆動装置。
【請求項２２】
前記エネルギー回収回路はパネルと直列接続されて直列共振回路を構成するインダクターと、前記インダクターを含み、電圧源とパネルの間に形成された充電パスと、前記インダクターを含み、電圧源とパネルの間に形成された放電パスを具備することを特徴とする請求項２１記載のプラズマディスプレイパネルのサステイン駆動装置。
【請求項２３】
前記充電パスは前記電圧源とインダクターの間に接続された第１スイッチと、前記電圧源とパネルの間に第１スイッチ及びインダクターと並列接続された第２スイッチを具備することを特徴とする請求項２２記載のプラズマディスプレイパネルのサステイン駆動装置。
【請求項２４】
前記放電パスは前記電圧源とインダクターの間に第１スイッチと並列接続された第３スイッチと、前記パネルと基底電圧源の間に接続された第４スイッチを具備することを特徴とする請求項２３記載のプラズマディスプレイパネルのサステイン駆動装置。
【請求項２５】
前記第１スイッチとインダクターの間に接続された第１ダイオードと、前記第３スイッチとインダクターの間に接続された第２ダイオードをさらに具備することを特徴とする請求項２４記載のプラズマディスプレイパネルのサステイン駆動装置。
【請求項２６】
前記充電キャパシタは第１スイッチ及び第１ダイオードの間の第１ノードと前記電圧源及び第２スイッチの間の第２ノードの間に接続されることを特徴とする請求項２５記載のプラズマディスプレイパネルのサステイン駆動装置。
【請求項２７】
前記分離ダイオードは前記エネルギー回収回路と電圧源の間に接続された第１分離ダイオードと、前記電圧源と前記充電キャパシタ及び第２スイッチの間の第２ノードの間に前記第３ダイオードを含んだエネルギー回収回路と並列接続された第２分離ダイオードを具備することを特徴とする請求項２６記載のプラズマディスプレイパネルのサステイン駆動装置。
【請求項２８】
前記エネルギー回収回路は第１インダクターを含んで前記電圧源とパネルの間に形成された放電パスと、第２インダクターを含んで前記放電パスと分離するように前記電圧源とパネルの間に形成された充電パスを具備することを特徴とする請求項２１記載のプラズマディスプレイパネルのサステイン駆動装置。
【請求項２９】
前記充電パスは前記電圧源と第２インダクターの間に接続された第１スイッチと、前記充電キャパシタに接続されて前記電圧源とパネルの間に前記第１スイッチ及び第２インダクターと並列接続された第２スイッチを具備することを特徴とする請求項２８記載のプラズマディスプレイパネルのサステイン駆動装置。
【請求項３０】
前記放電パスは前記電圧源と前記第１インダクターの間に接続された第３スイッチと、前記第１インダクターと前記パネルの間の第１ノードと基底電圧源の間に接続された第４スイッチを具備することを特徴とする請求項２９記載のプラズマディスプレイパネルのサステイン駆動装置。
【請求項３１】
前記第１スイッチと第２インダクターの間に接続された第１ダイオードと、前記第３スイッチと第１インダクターの間に接続された第２ダイオードをさらに具備することを特徴とする請求項２０記載のプラズマディスプレイパネルのサステイン駆動装置。
【請求項３２】
前記充電キャパシタは第１スイッチ及び第１ダイオードの間の第２ノードと前記電圧源及び第２スイッチの間の第３ノードの間に接続されることを特徴とする請求項３１記載のプラズマディスプレイパネルのサステイン駆動装置。
【請求項３３】
前記分離ダイオードは前記電圧源と前記第１、第３スイッチの間の第４ノードの間に接続された第１分離ダイオードと、前記電圧源と第３ノードの間に接続された第２分離ダイオードを具備することを特徴とする請求項３２記載のプラズマディスプレイパネルのサステイン駆動装置。
【請求項３４】
維持放電を起こすための第１と第２維持電極とアドレス電極の交差部に形成された画素セルがマトリックス形態に配列された表示パネルと、正極性電圧源と、負極性電圧源と、前記正極性電圧源と前記表示パネルの間に接続されて前記正極性電圧源からの正極性電圧を前記表示パネルに充電させると同時に、その充電された前記正極性電圧を回収する第１回収回路と、前記負極性電圧源と前記第１回収回路の間に接続されて前記負極性電圧源からの負極性電圧を前記表示パネルに充電させると同時に、その充電された前記負極性電圧を回収する第２回収回路を具備することを特徴とするプラズマディスプレイパネルの駆動装置。
【請求項３５】
前記表示パネルの第１維持電極及び第２維持電極のいずれかは基底電圧源に接続されて、他の一つは前記第１回収回路に接続されることを特徴とする請求項３４記載のプラズマディスプレイパネルの駆動装置。
【請求項３６】
前記正極性電圧源は前記維持放電のための維持パルスの半分である正極性電圧を前記第１回収回路に供給して、前記負極性電圧源は前記維持放電のための維持パルスの半分である負極性電圧を前記第２回収回路に供給することを特徴とする請求項３４記載のプラズマディスプレイパネルの駆動装置。
【請求項３７】
基底電圧源と前記表示パネルの間に接続されて前記基底電圧源からの基底電圧を前記表示パネルに切り換えるスイッチング素子をさらに具備することを特徴とする請求項３４記載のプラズマディスプレイパネルの駆動装置。
【請求項３８】
前記第１回収回路は前記正極性電圧源と並列に接続されて前記表示パネルの充放電の際に正極性エネルギーを充電するエネルギー回収用第１キャパシタと、前記エネルギー回収用第１キャパシタと前記表示パネルの間に接続されて前記正極性電圧の充電／回収経路を形成する第１スイッチ回路と、前記表示パネルと前記第１スイッチ回路の間に接続されて前記エネルギー回収用第１キャパシタからの正極性電圧を利用して前記表示パネルに充電された前記正極性維持パルスを維持させる充電用第１キャパシタと、前記充電用第１キャパシタと前記表示パネルの間に接続されるインダクターを具備することを特徴とする請求項３４記載のプラズマディスプレイパネルの駆動装置。
【請求項３９】
前記第１スイッチ回路は前記正極性電圧源と前記インダクターの間に接続される第１スイッチと、前記第１スイッチと前記第１インダクターの間に接続されて前記充電用第１キャパシタと前記インダクターの信号パスを切り換える第２スイッチと、前記第２スイッチと前記表示パネルの間に接続されて前記充電用第１キャパシタに充電された電圧を前記表示パネルに切り換える第３スイッチを具備することを特徴とする請求項３８記載のプラズマディスプレイパネルの駆動装置。
【請求項４０】
前記第１スイッチ回路は前記第２スイッチと前記充電用第１キャパシタの間に接続される第１ダイオードと、前記第２スイッチと前記インダクターの間に接続される第２ダイオードをさらに具備することを特徴とする請求項３９記載のプラズマディスプレイパネルの駆動装置。
【請求項４１】
前記第２回収回路は前記負極性電圧源と並列に接続されて前記表示パネルの充放電の際に負極性エネルギーを充電するエネルギー回収用第２キャパシタと、前記エネルギー回収用第２キャパシタと前記表示パネルの間に接続されて前記負極性電圧の充電／回収経路を形成する第２スイッチ回路と、前記表示パネルと前記第２スイッチ回路の間に接続されて前記エネルギー回収用第２キャパシタからの負極性電圧を利用して前記表示パネルに充電された負極性維持パルスを維持させる充電用第２キャパシタと、前記充電用第２キャパシタと前記表示パネルの間に接続される前記インダクターを具備することを特徴とする請求項３８記載のプラズマディスプレイパネルの駆動装置。
【請求項４２】
前記第２スイッチ回路は前記負極性電圧源と前記インダクターの間に接続される第４スイッチと、前記第４スイッチと前記インダクターの間に接続されて前記充電用第２キャパシタと前記インダクターの信号パスを切り換える第５スイッチと、前記第５スイッチと前記表示パネルの間に接続されて前記充電用第２キャパシタに充電された電圧を前記表示パネルに切り換える第６スイッチを具備することを特徴とする請求項４１記載のプラズマディスプレイパネルの駆動装置。
【請求項４３】
前記第２スイッチ回路は前記第５スイッチと前記充電用第２キャパシタの間に接続される第３ダイオードと、前記第５スイッチと前記インダクターの間に接続される第４ダイオードをさらに具備することを特徴とする請求項４２記載のプラズマディスプレイパネルの駆動装置。
【請求項４４】
プラズマディスプレイパネルが１／２サステイン電圧源を持つプラズマディスプレイパネルの駆動方法において、前記電圧源の１／２サステイン電圧値を倍増させてサステイン電圧を生成する段階と、前記倍増させたサステイン電圧を前記パネルに供給する段階と、前記倍増させたサステイン電圧をサステインキャパシタに充電させる段階と、前記倍増させたサステイン電圧を前記パネルに供給する際に前記サステイン電圧を一定に維持して安定した駆動が可能になるように前記サステインキャパシタから前記サステイン電圧が供給される段階を含むことを特徴とするプラズマディスプレイパネルの駆動方法。
【請求項４５】
プラズマディスプレイパネルに供給される正極性電圧を発生する段階と、前記パネルに供給される負極性電圧を発生する段階と、前記正極性電圧を前記パネルに充電させることと同時に充電された前記正極性電圧を回収する段階と、前記負極性電圧を前記パネルに充電させることと同時に充電された前記負極性電圧を回収する段階を含むことを特徴とするプラズマディスプレイパネルの駆動方法。
【発明の詳細な説明】
【０００１】
【発明の属する技術分野】
本発明はプラズマディスプレイパネル（ＰＤＰ）のサステイン駆動装置及び駆動方法に関わり、特に、消費電力を低くすると同時に駆動波形を安定化させるようにしたプラズマディスプレイパネルのサステイン駆動装置及び駆動方法に関するものである。
【０００２】
【従来の技術】
プラズマディスプレイパネルは、周知のように第１維持電極と第２維持電極とこれらと交差するアドレス電極とを備え、その交差部に画素セルをマトリックス状に配置した表示パネルを有するガス放電を利用した画像表示装置であり、大画面に有利である。同時に、最近の回路技術とパネル構造改善によって映像品質が向上している。
【０００３】
最近、陰極線管の欠点である重さと容積を減らすことができる各種のフラットパネルディスプレイが開発されている。このようなフラットパネルディスプレイは液晶表示装置、電界放出表示装置、プラズマディスプレイパネル及びエレクトロルミネセンス表示装置（ＥＬ）などがある。
【０００４】
このようなフラットパネルディスプレイの中、ＰＤＰはＨｅ＋Ｘｅ、Ｎｅ＋Ｘｅ、Ｈｅ＋Ｘｅ＋Ｎｅなどの不活性混合ガスが放電する際に発生する紫外線が蛍光体を発光させることで画像を表示する。このようなＰＤＰは速い応答速度を持つと同時に大面積の画像を表示するのに適合し、高解像度テレビ、モニター及び屋内外広告用ディスプレイとして利用されている。
【０００５】
ＰＤＰは電極を誘電体で覆ってその誘電体に蓄積された壁電荷を利用して放電を起こす交流型と、縦方向に対向された電極の間に放電を起こす直流型に分けられる。この中で交流型ＰＤＰは電極を誘電体で覆って誘電体表面で起きる表面放電を利用している。このＰＤＰのセル放電を維持させるためのサステインパルスは数百ＫＨｚの周波数を持ち数百Ｖ程度の高い電圧を持つ。
【０００６】
このサステインパルスをＰＤＰに印加して充電と放電を起こさせる場合に、パネルの負荷が容量性負荷だけではエネルギー消耗がないが、サステインパルスを直流電源を利用して発生させているのでＰＤＰで多くのエネルギー損失が発生する。放電の際にセル内で過度な電流が流れるとエネルギー損失がさらに大きくなる。このようにパネル内で不必要に発生するエネルギー、すなわち、無效電力を回収するためにＰＤＰのサステイン駆動装置にエネルギー回収装置が用いられている。
【０００７】
図１に従来技術に係るＰＤＰのエネルギー回収装置が示されている。本装置はインダクター（Ｌ）と外部キャパシタ（Ｃｓ）の間に並列接続された第１、第３スイッチ（Ｓ１１、Ｓ１３）と、パネルキャパシタ（Ｃｐ）にサステイン電圧（Ｖｓ）を供給するための第２スイッチ（Ｓ１２）と、パネルキャパシタ（Ｃｐ）に基底電圧（ＧＮＤ）を供給するための第４スイッチ（Ｓ１４）を具備する。
第１、第３スイッチ（Ｓ１１、Ｓ１３）の間には逆電流を制限するための第１と第２ダイオード（Ｄ１１、Ｄ１２）が接続される。
パネルキャパシタ（Ｃｐ）はパネル、すなわち、ＰＤＰの静電容量値を等価的に示している。
【０００８】
図２は図１に図示されたスイッチのオン／オフタイミングとパネルキャパシタの出力波形を示すタイミング図及び波形図である。
図１及び図２を参照してＰＤＰのエネルギー回収装置の動作過程を説明する。先に、ｔ１時点以前はパネルキャパシタ（Ｃｐ）に充電された電圧が０Ｖであると仮定する。また、外部キャパシタ（Ｃｓ）にはＶｓ／２の電圧が充電されていると仮定する。
【０００９】
ｔ１時点では、第１スイッチ（Ｓ１１）がオンになり維持される。そうすると、外部キャパシタ（Ｃｓ）に蓄積された電荷が第１スイッチ（Ｓ１１）と第１ダイオード（Ｄ１１）を経由してインダクター（Ｌ）に供給される。この際に、インダクター（Ｌ）はパネルキャパシタ（Ｃｐ）とともに直列ＬＣ共振回路を構成している。したがって、インダクター（Ｌ）を経由してパネルキャパシタ（Ｃｐ）に供給される共振波形によりパネルキャパシタ（Ｃｐ）が充電され始め、サステイン電位（Ｖｓ）まで充電される。
【００１０】
ｔ２時点では、第１スイッチ（Ｓ１１）がターンオフして維持され、一方第２スイッチ（Ｓ１２）がターンオンして維持される。それによって、サステイン電圧源（Ｖｓ）からのサステイン電圧（Ｖｓ）が第２スイッチ（Ｓ１２）を経由してパネルキャパシタ（Ｃｐ）に供給される。これにより、ｔ２時点でパネルキャパシタ（Ｃｐａｎｅｌ）の電圧はサステイン電位（Ｖｓ）を維持する。
【００１１】
ｔ３時点では、第２スイッチ（Ｓ１２）がターンオフし、維持されて第３スイッチ（Ｓ１３）がオンになり維持される。そうすると、パネルキャパシタ（Ｃｐ）の電圧がインダクター（Ｌ）、第２ダイオード（Ｄ１２）及び第３スイッチ（Ｓ１３）を経由して外部キャパシタ（Ｃｓ）に回収される。
【００１２】
ｔ４時点では、第３スイッチ（Ｓ１３）がターンオフし、維持されて、第４スイッチ（Ｓ１４）はオンになり維持されて、パネルキャパシタ（Ｃｐ）に基底電圧（ＧＮＤ）が供給され、パネルキャパシタ（Ｃｐ）は基底電圧（ＧＮＤ）を維持する。
【００１３】
図１に示した従来のＰＤＰのエネルギー回収装置はパネルをサステイン電位に維持させるために数百Ｖの高い電圧源（Ｖｓ）を必要とするので駆動回路の消費電力が大きくなるという欠点がある。また、図１のようなエネルギー回収装置は高電圧でも安定に動作するように、各スイッチ素子（Ｓ１１〜Ｓ１４）として電界效果トランジスター（ＦＥＴ）のような高圧に対する耐圧特性を持つスイッチ素子を使用しなけれならないので費用が嵩むという欠点がある。
【００１４】
図１のようなＰＤＰのエネルギー回収装置の問題点を解決するために、サステイン電圧の１／２の電圧を駆動電圧源として利用する低電圧駆動エネルギー回収装置が提案された事があった。
【００１５】
その例が図３である。この低電圧駆動エネルギー回収装置は、１／２サステイン電圧源（Ｖｓ／２）に接続された第１スイッチ（Ｓ２１）と、第１スイッチ（Ｓ２１）と基底電圧源（ＧＮＤ）の間に接続された外部キャパシタ（Ｃｓ）と、第１スイッチ（Ｓ２１）と外部キャパシタ（Ｃｓ）の間の第１ノード（Ｎ１）とインダクター（Ｌ）の間に接続される第２スイッチ（Ｓ２２）と、インダクター（Ｌ）とパネルキャパシタ（Ｃｐ）の間の第２ノード（Ｎ２）と基底電圧源（ＧＮＤ）の間に接続された第３スイッチ（Ｓ２３）を具備する。
【００１６】
パネルキャパシタ（Ｃｐ）はパネル、すなわちＰＤＰの静電容量値を等価的に示す。
【００１７】
この低電圧駆動エネルギー回収装置の動作を図４を参照して説明すると次の通りである。図４において、ＶＮ２の波形は出力ノードである第２ノード（Ｎ２）の電圧を示す。
【００１８】
Ｔ１区間では、第１、第３スイッチ（Ｓ２１、Ｓ２３）がオン状態を維持し、第２スイッチ（Ｓ２２）がターンオフ状態を維持する。したがって、Ｔ１区間で外部キャパシタ（Ｃｓ）はＶｓ／２まで充電されて、パネルキャパシタ（Ｃｐ）は基底電圧（ＧＮＤ）を維持する。
【００１９】
Ｔ２区間では、第１、第３スイッチ（Ｓ２１、Ｓ２３）がターンオフされて、第２スイッチ（Ｓ２２）がターンオンする。したがって、Ｔ２区間に、パネルキャパシタ（Ｃｐ）はインダクター（Ｌ）と直列共振回路を構成し、そのインダクター（Ｌ）を経由して外部キャパシタ（Ｃｓ）をサステイン電位（Ｖｓ）まで充電する。
【００２０】
このような低電圧駆動エネルギー回収装置は図１に図示したエネルギー回収装置に比べて駆動電圧を１／２に低くすることができ、スイッチ素子が３個に減少できる長所がある。しかし、本低電圧駆動エネルギー回収装置は共振波形だけで駆動電圧を発生させるので、放電電圧の電位を一定に維持させることができず、パネルキャパシタ（Ｃｐ）の負荷変動により共振波形の周波数が変わるので駆動波形が安定しないという問題点がある。
【００２１】
【発明が解決しようとする課題】
従って、本発明の目的は消費電力を低くすることと同時に駆動波形を安定化させるようにしたプラズマディスプレイパネルのサステイン駆動装置及び駆動方法を提供することである。
【００２２】
また、本発明の他の目的はサステイン電極対のいずれか一方にだけ正極性と負極性サステイン電圧を供給して印刷回路ボードを単一化できるプラズマディスプレイパネルのサステイン駆動装置及び駆動方法を提供することである。
【００２３】
【課題を解決するための手段】
前記目的を達成するために、本発明の実施態様に係るプラズマディスプレイパネルのサステイン駆動装置は、プラズマディスプレイパネルの維持駆動に必要な電圧の１／２を持つ電圧源と、電圧源とパネルの間に連結されてスイッチングによりＬＣ共振回路を構成してパネルの電力を回収してパネルに維持駆動電圧を供給するエネルギー回収回路を具備することを特徴とする。
【００２４】
本サステイン駆動装置におけるエネルギー回収回路は、パネルと直列接続されて直列共振回路を構成するインダクターと、そのインダクターを含み、電圧源とパネルの間に形成された充電パスと、そのインダクターを含み、電圧源とパネルの間に形成された放電パスと、電圧源に接続されて充電された電圧を利用して電圧源の電圧より高い電圧でパネルを充電させるための充電キャパシタを具備することを特徴とする。
【００２５】
サステイン駆動装置において、充電パスは、電圧源と充電キャパシタ及びインダクターの間の第１ノードの間に接続された第１スイッチと、電圧源とインダクター及びパネルの間の第２ノードの間に接続された第２スイッチを具備することを特徴とする。
【００２６】
サステイン駆動装置において、放電パスは、電圧源と第１ノードの間に接続された第３スイッチと、第２ノードと基底電圧源の間に接続された第４スイッチを具備することを特徴とする。
【００２７】
サステイン駆動装置は、第１ノードとインダクターの間に接続された第１ダイオードと、第３スイッチとインダクターの間に接続された第２ダイオードと、電圧源と充電キャパシタの間に接続された第３ダイオードをさらに具備することを特徴とする。
【００２８】
サステイン駆動装置は電圧源と第１、第３スイッチの間の第３ノードの間に接続された第４ダイオードをさらに具備することを特徴とする。
【００２９】
サステイン駆動装置において、エネルギー回収回路は、第１インダクターを含んで電圧源とパネルの間に形成された放電パスと、第２インダクターを含んで放電パスと分離するように電圧源とパネルの間に形成された充電パスと、電圧源に接続されて、充電された電圧を利用して電圧源の電圧より高い電圧でパネルを充電させるための充電キャパシタを具備することを特徴とする。
【００３０】
サステイン駆動装置において、充電パスは、充電キャパシタ及び第２インダクターの間の第１ノードと電圧源の間に接続された第１スイッチと、充電キャパシタに接続されて、電圧源と第２インダクター及びパネルの間の第２ノードの間に接続された第２スイッチを具備することを特徴とする。
【００３１】
サステイン駆動装置において、放電パスは、電圧源と第１インダクターの間に接続された第３スイッチと、第１インダクターとパネルの間の第３ノードと基底電圧源の間に接続された第４スイッチを具備することを特徴とする。
【００３２】
サステイン駆動装置は電圧源と第１、第３スイッチの間の第４ノードの間に第１ダイオードをさらに具備することを特徴とする。
【００３３】
本発明の実施態様に係るプラズマディスプレイパネルのサステイン駆動装置は、サステイン電圧値を持つサステインパルスをスキャン電極及びサステイン電極に交番的に供給するためのプラズマディスプレイパネルのサステイン駆動装置において、プラズマディスプレイパネルの維持駆動に必要なサステイン電圧の１／２の電圧値を持つ電圧源と、電圧源に接続されて電圧源から１／２サステイン電圧を倍圧させてサステイン電圧を生成する倍圧回路と、倍圧回路に接続されてパネルに一定なサステイン電圧を供給するために倍圧回路からのサステイン電圧を充電するサステインキャパシタを具備することを特徴とする。
【００３４】
サステイン駆動装置において、倍圧回路は、電圧源とサステインキャパシタの間に接続された第１ダイオードと、電圧源とサステインキャパシタの間に接続されて、第１ダイオードと竝列接続された第１スイッチ及び充電キャパシタを具備することを特徴とする。
【００３５】
サステイン駆動装置において、充電キャパシタは電圧源と基底電圧源の間に電流パスが形成されて１／２サステイン電圧が充電された後、第１スイッチがターンオンされて１／２サステイン電圧が自分の負極性の端子に連結されて充電されていた１／２サステイン電圧と合わせることにより、サステイン電圧が充電されることを特徴とする。
【００３６】
サステイン駆動装置において、サステインキャパシタは充電キャパシタに充電されていたサステイン電圧がパネルに供給される際にパネルが安定的にサステイン電圧を維持するようにサステイン電圧を供給することを特徴とする。
【００３７】
サステイン駆動装置は倍圧回路とパネルの間に接続されて直列共振回路を構成するインダクターをさらに具備することを特徴とする。
【００３８】
サステイン駆動装置は倍圧回路とサステインキャパシタの間に接続されて逆電流が流れるのを防止するための第２ダイオードをさらに具備することを特徴とする。
【００３９】
サステイン駆動装置は、倍圧回路とパネルの間に接続されてパネルにサステイン電圧を供給するための第２スイッチと、倍圧回路と基底電圧源の間に接続されて充電キャパシタに１／２サステイン電圧を充電させるための第３スイッチをさらに具備することを特徴とする。
【００４０】
サステイン駆動装置は倍圧回路と第３スイッチの間に接続されて逆電流が流れるのを防止するための第３ダイオードをさらに具備することを特徴とする。
【００４１】
サステイン駆動装置は、パネルと電圧源の間に接続されてパネルを放電させるための第１インダクターと、倍圧回路とパネルの間に接続されてパネルを充電させるための第２インダクターをさらに具備することを特徴とする。
【００４２】
サステイン駆動装置において、第１インダクターの容量は第２インダクターの用量より少ないことを特徴とする。
【００４３】
本発明の実施態様に係るプラズマディスプレイパネルのサステイン駆動装置は、プラズマディスプレイパネルの維持駆動に必要な電圧の１／２を持つ電圧源と、電圧源とパネルの間に連結されてスイッチングによりＬＣ共振回路を構成してパネルの電力を回収してパネルに維持駆動電圧を供給するエネルギー回収回路と、電圧源に接続されて充電された電圧を利用して電圧源の電圧より高い電圧でパネルを充電させるための充電キャパシタと、電圧源への逆電流を遮断すると同時に１／２の電圧をエネルギー回収回路と充電キャパシタにそれぞれ分離して印加させるための分離ダイオードを具備することを特徴とする。
【００４４】
サステイン駆動装置において、エネルギー回収回路は、パネルと直列接続されて直列共振回路を構成するインダクターと、インダクターを含み、電圧源とパネルの間に形成された充電パスと、インダクターを含み、電圧源とパネルの間に形成された放電パスを具備することを特徴とする。
【００４５】
サステイン駆動装置において、充電パスは、電圧源とインダクターの間に接続された第１スイッチと、電圧源とパネルの間に第１スイッチ及びインダクターと並列接続された第２スイッチを具備することを特徴とする。
【００４６】
サステイン駆動装置において、放電パスは、電圧源とインダクターの間に第１スイッチと並列接続された第３スイッチと、パネルと基底電圧源の間に接続された第４スイッチを具備することを特徴とする。
【００４７】
サステイン駆動装置は、第１スイッチとインダクターの間に接続された第１ダイオードと、第３スイッチとインダクターの間に接続された第２ダイオードをさらに具備することを特徴とする。
【００４８】
サステイン駆動装置において、充電キャパシタは第１スイッチ及び第１ダイオードの間の第１ノードと電圧源及び第２スイッチの間の第２ノードの間に接続されることを特徴とする。
【００４９】
サステイン駆動装置において、分離ダイオードは、エネルギー回収回路と電圧源の間に接続された第１分離ダイオードと、電圧源と充電キャパシタ及び第２スイッチの間の第２ノードの間に第３ダイオードを含んだエネルギー回収回路と並列接続された第２分離ダイオードを具備することを特徴とする。
【００５０】
サステイン駆動装置において、エネルギー回収回路は、第１インダクターを含んで電圧源とパネルの間に形成された放電パスと、第２インダクターを含んで放電パスと分離するように電圧源とパネルの間に形成された充電パスを具備することを特徴とする。
【００５１】
サステイン駆動装置において、充電パスは、電圧源と第２インダクターの間に接続された第１スイッチと、充電キャパシタに接続されて、電圧源とパネルの間に第１スイッチ及び第２インダクターと並列接続された第２スイッチを具備することを特徴とする。
【００５２】
サステイン駆動装置において、放電パスは、電圧源と第１インダクターの間に接続された第３スイッチと、第１インダクターとパネルの間の第１ノードと基底電圧源の間に接続された第４スイッチを具備することを特徴とする。
【００５３】
サステイン駆動装置は、第１スイッチと第２インダクターの間に接続された第１ダイオードと、第３スイッチと第１インダクターの間に接続された第２ダイオードをさらに具備することを特徴とする。
【００５４】
サステイン駆動装置において、充電キャパシタは第１スイッチ及び第１ダイオードの間の第２ノードと電圧源及び第２スイッチの間の第３ノードの間に接続されることを特徴とする。
【００５５】
サステイン駆動装置において、分離ダイオードは、電圧源と第１、第３スイッチの間の第４ノードの間に接続された第１分離ダイオードと、電圧源と第３ノードの間に接続された第２分離ダイオードを具備することを特徴とする。
【００５６】
本発明の実施態様に係るプラズマディスプレイパネルのサステイン駆動装置は、維持放電を起こすための第１と第２維持電極とアドレス電極の交差部に形成された画素セルがマトリックス形態に配列された表示パネルと、正極性電圧源と、負極性電圧源と、正極性電圧源と表示パネルの間に接続されて正極性電圧源からの正極性電圧を表示パネルに充電させることと同時に充電された正極性電圧を回収する第１回収回路と、負極性電圧源と第１回収回路の間に接続されて負極性電圧源からの負極性電圧を表示パネルに充電させることと同時に充電された負極性電圧を回収する第２回収回路を具備することを特徴とする。
【００５７】
サステイン駆動装置において、表示パネルの第１維持電極及び第２維持電極の中からいずれかは基底電圧源に接続されて、他の一つは第１回収回路に接続されることを特徴とする。
【００５８】
サステイン駆動装置において、正極性電圧源は維持放電のための維持パルスの半分である正極性電圧を第１回収回路に供給して、負極性電圧源は維持放電のための維持パルスの半分である負極性電圧を第２回収回路に供給することを特徴とする。
【００５９】
サステイン駆動装置は基底電圧源と表示パネルの間に接続されて基底電圧源からの基底電圧を表示パネルに切り換えるスイッチング素子をさらに具備することを特徴とする。
【００６０】
サステイン駆動装置において、第１回収回路は、正極性電圧源と並列に接続されて表示パネルの充放電の際に正極性エネルギーを充電するエネルギー回収用第１キャパシタと、エネルギー回収用第１キャパシタと表示パネルの間に接続されて正極性電圧の充電／回収経路を形成する第１スイッチ回路と、表示パネルと第１スイッチ回路の間に接続されてエネルギー回収用第１キャパシタからの正極性電圧を利用して表示パネルに充電された正極性維持パルスを維持させる充電用第１キャパシタと、充電用第１キャパシタと表示パネルの間に接続されるインダクターを具備することを特徴とする。
【００６１】
サステイン駆動装置において、第１スイッチ回路は、正極性電圧源とインダクターの間に接続される第１スイッチと、第１スイッチと第１インダクターの間に接続されて充電用第１キャパシタとインダクターの信号パスを切り換える第２スイッチと、第２スイッチと表示パネルの間に接続されて充電用第１キャパシタに充電された電圧を表示パネルに切り換える第３スイッチを具備することを特徴とする。
【００６２】
サステイン駆動装置において、第１スイッチ回路は、第２スイッチと充電用第１キャパシタの間に接続される第１ダイオードと、第２スイッチとインダクターの間に接続される第２ダイオードをさらに具備することを特徴とする。
【００６３】
サステイン駆動装置において、第２回収回路は、負極性電圧源と並列に接続されて表示パネルの充放電の際に負極性エネルギーを充電するエネルギー回収用第２キャパシタと、エネルギー回収用第２キャパシタと表示パネルの間に接続されて負極性電圧の充電／回収経路を形成する第２スイッチ回路と、表示パネルと第２スイッチ回路の間に接続されてエネルギー回収用第２キャパシタからの負極性電圧を利用して表示パネルに充電された負極性維持パルスを維持させる充電用第２キャパシタと、充電用第２キャパシタと表示パネルの間に接続されるインダクターを具備することを特徴とする。
【００６４】
サステイン駆動装置において、第２スイッチ回路は、負極性電圧源とインダクターの間に接続される第４スイッチと、第４スイッチとインダクターの間に接続されて充電用第２キャパシタとインダクターの信号パスを切り換える第５スイッチと、第５スイッチと表示パネルの間に接続されて充電用第２キャパシタに充電された電圧を表示パネルに切り換える第６スイッチを具備することを特徴とする。
【００６５】
サステイン駆動装置において、第２スイッチ回路は、第５スイッチと充電用第２キャパシタの間に接続される第３ダイオードと、第５スイッチとインダクターの間に接続される第４ダイオードをさらに具備することを特徴とする。
【００６６】
本発明の実施態様に係るプラズマディスプレイパネルのサステイン駆動方法はプラズマディスプレイパネルが１／２サステイン電圧源を持つプラズマディスプレイパネルの駆動方法であって、電圧源の１／２サステイン電圧値を倍増させてサステイン電圧を生成する段階と、倍増されたサステイン電圧をパネルに供給する段階と、倍増されたサステイン電圧をサステインキャパシタに充電させる段階と、倍増させたサステイン電圧をパネルに供給する際にサステイン電圧を一定に維持して安定した駆動が可能になるようにサステインキャパシタからサステイン電圧が供給される段階を含むことを特徴とする。
【００６７】
本発明の実施態様に係るプラズマディスプレイパネルのサステイン駆動方法は、プラズマディスプレイパネルに供給される正極性電圧を発生する段階と、パネルに供給される負極性電圧を発生する段階と、正極性電圧をパネルに充電させることと同時に充電された正極性電圧を回収する段階と、負極性電圧をパネルに充電させることと同時に充電された負極性電圧を回収する段階を含むことを特徴とする。
【００６８】
【作用】
上述したように、本発明に係るＰＤＰのサステイン駆動装置は、１／２サステイン電圧源に充電キャパシタを直接接続して１／２サステイン電圧と充電キャパシタ電圧を加えてパネルキャパシタに供給している。また、充電キャパシタの充電パスをパネルの充／放電パスと分離して駆動させている。これにより、本発明は従来ＰＤＰのサステイン駆動装置に対してサステイン電圧を１／２に低くすることができ、それで消費電力をそれだけ低くすることができ、それにもかかわらず、倍圧とされた電圧を利用して放電維持期間にサステイン電圧を安定的に供給して駆動波形を安定化させることができる。
【００６９】
また、本発明の実施態様に係るＰＤＰのサステイン駆動装置は一つの印刷回路ボード上に設置された正極性１／２電圧源と負極性１／２電圧源を利用して正極性サステインパルス及び負極性サステインパルスを同時に生成して、その生成された交流サステインパルスをサステイン電極対のいずれかに供給すると同時に、サステイン電極対の他の一つには基準電圧を供給する。これにより、本発明はサステイン電極対のいずれか一つにだけ交流サステインパルスを供給すればよいので、サステイン駆動装置の単一化された印刷回路ボード構成が可能になる。さらに、本発明は従来のＰＤＰのサステイン駆動装置に対してサステイン電圧（Ｖｓ）を１／２に低くできるので、スイッチ素子の耐圧電圧を２倍のサステイン電圧（２Ｖｓ）からサステイン電圧（Ｖｓ）に低くすることができ、スイッチ素子として低圧スイッチ素子を用いることができ、費用を低減することができる。
【００７０】
【発明の実施の形態】
の目的外に本発明の他の目的及び利点は添付した図面を参照した本発明の好ましい実施形態に対する詳細な説明を通して明らかになるであろう。
以下、本発明の実施形態を添付した図５〜図２４を参照して詳細に説明する。
【００７１】
図５に本発明の第１実施形態に係るプラズマディスプレイパネルのサステイン駆動装置が示されている。本装置は、１／２サステイン電圧源（Ｖｓ／２）と、１／２サステイン電圧源（Ｖｓ／２）に接続された第１、第３スイッチ（Ｓ３１、Ｓ３３）と、パネルキャパシタ（Ｃｐ）の第１電極に並列接続された第２、第４スイッチ（Ｓ３２、Ｓ３４）と、第１、第３スイッチ（Ｓ３１、Ｓ３３）の間の第１ノード（Ｎ３１）と第２、第４スイッチ（Ｓ３２、Ｓ３４）の間の第２ノード（Ｎ３２）の間に接続されたインダクター（Ｌ）と、第１スイッチ（Ｓ３１）の第１端子と第１ノード（Ｎ３１）の間に接続された第１ダイオード（Ｄ３１）と、第１ノード（Ｎ３１）と第３スイッチ（Ｓ３３）の第１端子の間に接続された第２ダイオード（Ｄ３２）と、第１スイッチ（Ｓ３１）と第２スイッチ（Ｓ３２）の間に接続された第３ダイオード（Ｄ３３）と、第１スイッチ（Ｓ３１）と第１ダイオード（Ｄ３１）の間の第３ノード（Ｎ３３）と第３ダイオード（Ｄ３３）と第２スイッチ（Ｓ３２）との間の第４ノード（Ｎ３４）の間に接続された充電キャパシタ（Ｃｃ）を具備する。
【００７２】
１／２サステイン電圧源（Ｖｓ／２）は第５ノード（Ｎ３５）を経由して第１スイッチ（Ｓ３１）の第２端子と第２スイッチ（Ｓ３２）の第２端子に接続されている。パネルキャパシタ（Ｃｐ）はＰＤＰの静電容量値を等価的に示す。
【００７３】
第１〜第４スイッチ（Ｓ３１〜Ｓ３４）はＭＯＳＦＥＴ、ＩＧＢＴ、ＢＪＴなどの半導体スイッチ素子で実装される。
【００７４】
第１〜第３ダイオード（Ｄ３１、Ｄ３２、Ｄ３３）は一定の方向にだけ電流パスを形成するようにする役目をする。すなわち、第１ダイオード（Ｄ３１）はパネルキャパシタ（Ｃｐ）から第１スイッチ（Ｓ３１）の方に流れる逆電流を遮断し、第２ダイオード（Ｄ３２）は１／２サステイン電圧源（Ｖｓ／２）からインダクター（Ｌ）の方に流れる逆電流を遮断する。そして、第３ダイオード（Ｄ３３）は第４ノード（Ｎ３４）から１／２サステイン電圧源（Ｖｓ／２）の方に流れる逆電流を遮断する。この第３ダイオード（Ｄ３３）は充電キャパシタ（Ｃｃ）により充電されたＶｓ電圧が１／２維持電圧源（Ｖｓ／２）に影響を与えないように遮断する役目をも果たす。
【００７５】
充電キャパシタ（Ｃｃ）は１／２サステイン電圧源（Ｖｓ／２）からの電圧を充電させられ、その充電キャパシタ（Ｃｃ）に充電された電圧（Ｖｓ／２）が１／２サステイン電圧源（Ｖｓ／２）から供給された電圧に加えられ、パネルキャパシタ（Ｃｐ）に供給される。
【００７６】
本発明の第１実施形態に係るＰＤＰのサステイン駆動装置の動作を図６、図７を参照して説明すると次の通りである。図６のＶＮ３２の波形は出力ノードである第２ノード（Ｎ３２）の電圧を示している。図７は本発明の第１実施形態に係るＰＤＰのサステイン駆動装置の出力波形及び第３ノード（Ｎ３３）に加えられる電圧を示す図である。
【００７７】
先に、Ｔ４区間について説明すると、この区間では第４スイッチ（Ｓ３４）がターンオン状態を維持し、第１〜第３スイッチ（Ｓ３１〜Ｓ３３）はオフ状態を維持する。これにより、充電キャパシタ（Ｃｃ）の第１端子は第４ノード（Ｎ３４）と第３ダイオード（Ｄ３３）を経由して１／２サステイン電圧源（Ｖｓ／２）に接続されて、充電キャパシタ（Ｃｃ）の第２端子が第３ノード（Ｎ３３）、第１ダイオード（Ｄ３１）、第１ノード（Ｎ３１）、インダクター（Ｌ）、第２ノード（Ｎ３２）及び第４スイッチ（Ｓ３４）を経由して基底電圧源（ＧＮＤ）に接続される。これにより、充電キャパシタ（Ｃｃ）には１／２サステイン電圧源（Ｖｓ／２）からの１／２サステイン電圧（Ｖｓ／２）が充電される。また、Ｔ４区間で、パネルキャパシタ（Ｃｐ）は第４スイッチ（Ｓ３４）を通して基底電圧源（ＧＮＤ）へ接続され基底電圧（ＧＮＤ）に放電される。
【００７８】
その後、Ｔ１区間で、第４スイッチ（Ｓ３４）がターンオフされて、第１スイッチ（Ｓ３１）がターンオンされて、第２、第３スイッチ（Ｓ３２、Ｓ３３）はオフ状態を維持する。第１スイッチ（Ｓ３１）がターンオンすることにより１／２サステイン電圧源（Ｖｓ／２）からの供給電圧は第１スイッチ（Ｓ３１）、第１ダイオード（Ｄ３１）とインダクター（Ｌ）を経由してパネルキャパシタ（Ｃｐ）を充電させる。このＴ１区間の間、パネルキャパシタ（Ｃｐ）はインダクター（Ｌ）とともにＬＣ直列共振回路を構成してサステイン電圧（Ｖｓ）まで充電される。このとき、第３ノード（Ｎ３３）では第１スイッチ（Ｓ３１）のターンオンにより１／２サステイン電圧（Ｖｓ／２）を維持する。第２ノード（Ｎ３２）ではＬＣ直列共振回路により共振パルスが１／２サステイン電圧（Ｖｓ／２）以上に上昇するが、第１ダイオード（Ｄ３１）により阻止されて１／２サステイン電圧（Ｖｓ／２）を維持する。結果的に、パネルキャパシタ（Ｃｐ）には第２ノード（Ｎ３２）の１／２サステイン電圧（Ｖｓ／２）と充電キャパシタ（Ｃｃ）に充電された電圧が合わせられたサステイン電圧（Ｖｓ）が供給される。
【００７９】
以後、Ｔ２区間では、第１スイッチ（Ｓ３１）がターンオン状態を維持して、第２スイッチ（Ｓ３２）がターンオンする。また、第３、第４スイッチ（Ｓ３３、Ｓ３４）はオフ状態を維持する。したがって、パネルキャパシタ（Ｃｐ）は１／２サステイン電圧源（Ｖｓ／２）からの電圧と充電キャパシタ（Ｃｃ）の電圧が合わせられた電圧が第３及び第２ノード（Ｎ３３、Ｎ３２）を経由して供給されるのでサステイン電圧（Ｖｓ）を維持する。このＴ２区間の間、充電キャパシタ（Ｃｃ）は第１スイッチ（Ｓ３１）がターンオン状態を維持しているので第１スイッチ（Ｓ３１）を経由して供給される電圧により１／２サステイン電圧（Ｖｓ／２）を維持する。このために、第１スイッチ（Ｓ３１）のターンオフ時点は第２スイッチ（Ｓ３２）のターンオフ時点と同一にする。第３ダイオード（Ｄ３３）は充電キャパシタ（Ｃｃ）の電流が１／２サステイン電圧源（Ｖｓ／２）に流れないように電流パスを遮断する。
【００８０】
Ｔ３区間では、第３スイッチ（Ｓ３３）がターンオンする。このＴ３区間では、第１と第２スイッチ（Ｓ３１、Ｓ３２）はターンオフされて、第４スイッチ（Ｓ３４）はオフ状態を維持する。これにより、パネルキャパシタ（Ｃｐ）は放電して、パネルキャパシタ（Ｃｐ）から放電される無效電力の電圧成分がインダクター（Ｌ）、第２ダイオード（Ｄ３２）及び第３スイッチ（Ｓ３３）を経由して充電キャパシタ（Ｃｃ）に回収されて充電される。この際に、インダクター（Ｌ）はパネルキャパシタ（Ｃｐ）とともに共振回路を形成する。したがって、パネルキャパシタ（Ｃｐ）の電圧は基底電圧（ＧＮＤ）に下降する。
【００８１】
このような、本発明の第１実施形態に係るＰＤＰのサステイン駆動装置によってパネルキャパシタ（Ｃｐ）に供給されるサステインパルスは、Ｔ１〜Ｔ４区間を周期的に繰り返しながら発生する。
【００８２】
このような、本発明の第１実施形態に係るＰＤＰのサステイン駆動装置は１／２サステイン電圧源に充電キャパシタを直接接続して、その充電キャパシタ電圧を１／２サステイン電圧に加えてパネルに供給する。したがって、本発明の第１実施形態に係るＰＤＰのサステイン駆動装置は、従来のＰＤＰのサステイン駆動装置に対してサステイン電圧を１／２に低くすることで消費電力をそれだけ低くすることができる一方、倍圧とさせた電圧を利用して放電維持期間にサステイン電圧を安定的に供給することができるので、駆動波形を安定化させることができる。さらに、本発明の第１実施形態に係るＰＤＰのサステイン駆動装置は従来のＰＤＰのサステイン駆動装置に対してサステイン電圧を１／２に低くしているので、スイッチ素子として耐圧電圧を従来の２００Ｖから１００Ｖに低くしたスイッチ素子で構成することができるので、費用を低減することができる。
【００８３】
図８に示す本発明の第２実施形態に係るＰＤＰのサステイン駆動装置は、図５に示された本発明の第１実施形態に係るＰＤＰのサステイン駆動装置とほぼ同じで、さらに、１／２サステイン電圧源（Ｖｓ／２）と第４ノード（Ｎ３４）の間に接続された第４ダイオード（Ｄ３４）をさらに設けている。
【００８４】
この第２実施形態に係るＰＤＰのサステイン駆動装置は、第４ダイオード（Ｄ３４）以外の各構成要素に対する説明及び動作は図５に図示した第１実施形態によるＰＤＰのサステイン駆動装置の各構成要素と同じなのでその説明は略する。
【００８５】
本第２実施形態に係るＰＤＰのサステイン駆動装置は、１／２サステイン電圧源（Ｖｓ／２）からの供給電圧は第４ダイオード（Ｄ３４）を経由して充電キャパシタ（Ｃｃ）、インダクター（Ｌ）及びパネルキャパシタ（Ｃｐ）に供給されるので、１／２サステイン電圧源（Ｖｓ／２）とサステイン駆動装置とを分離することができる。これにより、本第２実施形態に係るＰＤＰのサステイン駆動装置はより安定した電圧供給及び駆動が可能になる。
【００８６】
図９に本発明の第３実施形態に係るＰＤＰのサステイン駆動装置が記載されている。本装置は１／２サステイン電圧源（Ｖｓ／２）と、１／２サステイン電圧源（Ｖｓ／２）に接続された第１、第３スイッチ（Ｓ４１、Ｓ４３）と、パネルキャパシタ（Ｃｐ）の第１電極に並列接続された第２、第４スイッチ（Ｓ４２、Ｓ４４）と、第１、第３スイッチ（Ｓ４１、Ｓ４３）の間の第１ノード（Ｎ４１）と第２、第４スイッチ（Ｓ４２、Ｓ４４）の間の第２ノード（Ｎ４２）との間に接続されたインダクター（Ｌ）と、第１スイッチ（Ｓ４１）の第１端子と第１ノード（Ｎ４１）の間に接続された第１ダイオード（Ｄ４１）と、第１ノード（Ｎ４１）と第３スイッチ（Ｓ４３）の第１端子の間に接続された第２ダイオード（Ｄ４２）と、第１スイッチ（Ｓ４１）と第２スイッチ（Ｓ４２）の間に接続された第３ダイオード（Ｄ４３）と、第２スイッチ（Ｓ４２）と第３ダイオード（Ｄ４３）の間の第３ノード（Ｎ４３）と基底電圧源（ＧＮＤ）の間に接続された第５スイッチ（Ｓ４５）と、第５スイッチ（Ｓ４５）と第３ノード（Ｎ４３）の間に接続された充電キャパシタ（Ｃｃ）と、第１スイッチ（Ｓ４１）と第１ダイオード（Ｄ４１）の間の第４ノード（Ｎ４４）と第５スイッチ（Ｓ４５）と充電キャパシタ（Ｃｃ）の間の第５ノード（Ｎ４５）とを電気的に接続させる接続ライン（ＳＬ）を具備する。
【００８７】
パネルキャパシタ（Ｃｐ）はＰＤＰの静電容量値を等価的に示している。各スイッチ（Ｓ４１〜Ｓ４５）はＭＯＳＦＥＴ、ＩＧＢＴ、ＢＪＴなどの半導体スイッチ素子で実装される。
【００８８】
第１〜第３ダイオード（Ｄ４１、Ｄ４２、Ｄ４３）は一定の方向にだけ電流パスを形成させる。すなわち、第１ダイオード（Ｄ４１）はパネルキャパシタ（Ｃｐ）から第１スイッチ（Ｓ４１）の方に流れる逆電流を遮断して、第２ダイオード（Ｄ４２）は１／２サステイン電圧源（Ｖｓ／２）からインダクター（Ｌ）の方に流れる逆電流を遮断する。そして、第３ダイオード（Ｄ４３）は第３ノード（Ｎ４３）から１／２サステイン電圧源（Ｖｓ／２）の方に流れる逆電流を遮断する。この第３ダイオード（Ｄ４３）は充電キャパシタ（Ｃｃ）により充電されたＶｓ電圧が１／２維持電圧源（Ｖｓ／２）に影響を与えないように遮断する役目をも果たす．
【００８９】
充電キャパシタ（Ｃｃ）は１／２サステイン電圧源（Ｖｓ／２）により電圧を充電されて、その充電された電圧（Ｖｓ／２）を１／２サステイン電圧源（Ｖｓ／２）から供給された電圧に加えてパネルキャパシタ（Ｃｐ）に供給する。
【００９０】
本発明の第３実施形態に係るＰＤＰのサステイン駆動装置の動作を図１０を参照して説明すると次の通りである。図１０のＶＮ４２の波形は出力ノードである第２ノード（Ｎ４２）の電圧を示す。
【００９１】
先に、Ｔ４区間では、第４、第５スイッチ（Ｓ４４、Ｓ４５）がオン状態を維持して、第１〜第３スイッチ（Ｓ４１〜Ｓ４３）はオフ状態を維持する。これにより、充電キャパシタ（Ｃｃ）の第１端子は第３ノード（Ｎ４３）及び第３ダイオード（Ｄ４３）を経由して１／２サステイン電圧源（Ｖｓ／２）に接続されて、充電キャパシタ（Ｃｃ）の第２端子が第５ノード（Ｎ４５）、第５スイッチ（Ｓ４５）を経由して基底電圧源（ＧＮＤ）に接続される。これにより、充電キャパシタ（Ｃｃ）には１／２サステイン電圧源（Ｖｓ／２）から１／２サステイン電圧（Ｖｓ／２）が充電される。また、Ｔ４区間で、パネルキャパシタ（Ｃｐ）は第４スイッチ（Ｓ４４）を通して基底電圧源（ＤＮＤ）へ接続され、基底電圧（ＣＮＤ）とされる。一方、Ｔ４区間では、第５スイッチ（Ｓ４５）はターンオン状態を維持しており、第４スイッチ（Ｓ４４）が第２ノード（Ｎ４２）の電圧を基底レベルに落とすことで充電キャパシタ（Ｃｃ）に１／２サステイン電圧（Ｖｓ／２）を安定的に充電させることができる。
【００９２】
この後、Ｔ１区間では、第４、第５スイッチ（Ｓ４４、Ｓ４５）がターンオフし、第１スイッチ（Ｓ４１）がターンオンされる。その際、第２、第３スイッチ（Ｓ４２、Ｓ４３）はターンオフ状態を維持する。第１スイッチ（Ｓ４１）がターンオンすることにより１／２サステイン電圧源（Ｖｓ／２）からの電圧は第１スイッチ（Ｓ４１）、第４ノード（Ｎ４４）、第１ダイオード（Ｄ４１）、第１ノード（Ｎ４１）及びインダクター（Ｌ）を通してパネルキャパシタ（Ｃｐ）を充電させる。このＴ１区間の間、パネルキャパシタ（Ｃｐ）はインダクター（Ｌ）とともにＬＣ直列共振回路を構成するのでサステイン電圧（Ｖｓ）まで充電される。その際、第４ノード（Ｎ４４）では第１スイッチ（Ｓ４１）のターンオンにより１／２サステイン電圧（Ｖｓ／２）を維持し、第２ノード（Ｎ４２）でＬＣ直列共振回路により共振パルスが１／２サステイン電圧（Ｖｓ／２）以上に上昇するが、第１ダイオード（Ｄ４１）により阻止されて１／２サステイン電圧（Ｖｓ／２）を維持する。第２ノード（Ｎ４２）の１／２サステイン電圧（Ｖｓ／２）と充電キャパシタ（Ｃｃ）に充電された電圧が加わるとサステイン電圧（Ｖｓ）になる。
【００９３】
その後、Ｔ２区間では、第２スイッチ（Ｓ４２）がターンオンされて、第１スイッチ（Ｓ４１）はオン状態を維持する。また、第３、第４スイッチ（Ｓ４３、Ｓ４４）はオフ状態を維持する。その際、パネルキャパシタ（Ｃｐ）は１／２サステイン電圧源（Ｖｓ／２）からの電圧と充電キャパシタ（Ｃｐ）の電圧の加わった倍電圧が第２、第３ノード（Ｎ４２、Ｎ４３）を経由して供給されるのでサステイン電圧（Ｖｓ）を維持する。このＴ２区間の間、充電キャパシタ（Ｃｃ）は第１スイッチ（Ｓ４１）がオン状態を維持しているので第１スイッチ（Ｓ４１）を経由して供給される電圧により１／２サステイン電圧（Ｖｓ／２）を維持する。このために、第１スイッチ（Ｓ４１）のターンオフ時点は第２スイッチ（Ｓ４２）のターンオフ時点と同一にする。第３ダイオード（Ｄ４３）は充電キャパシタ（Ｃｃ）の電流が１／２サステイン電圧源（Ｖｓ／２）に流れないように電流パスを遮断する。
【００９４】
Ｔ３区間では、第３、第５スイッチ（Ｓ４３、Ｓ４５）がターンオンする。また、第１と第２スイッチ（Ｓ４１、Ｓ４２）はターンオフして、第４スイッチ（Ｓ４４）はオフ状態を維持する。第５スイッチ（Ｓ４５）は上述したＴ３区間でターンオンさせたり、Ｔ４区間でだけターンオンさせることもできる。これにより、パネルキャパシタ（Ｃｐ）は放電して、パネルキャパシタ（Ｃｐ）から放電する無效電力の電圧成分はインダクター（Ｌ）、第２ダイオード（Ｄ４２）及び第３スイッチ（Ｓ４３）を経由して充電キャパシタ（Ｃｃ）に回収されてそれを充電させる。その際、インダクター（Ｌ）はパネルキャパシタ（Ｃｐ）とともに共振回路を形成する。したがって、パネルキャパシタ（Ｃｐ）の電圧は基底電圧（ＧＮＤ）に下降する。
【００９５】
このような本発明の第３実施形態に係るＰＤＰのサステイン駆動装置においてパネルキャパシタ（Ｃｐ）に供給されるサステインパルスはＴ１〜Ｔ４区間を周期的に繰り返されながら発生する。
【００９６】
このように、本発明の第３実施形態に係るＰＤＰのサステイン駆動装置は、１／２サステイン電圧と充電キャパシタ電圧を加えてパネルに供給するようにしている。したがって、本発明の第３実施形態に係るＰＤＰのサステイン駆動装置は、従来のＰＤＰのサステイン駆動装置に対してサステイン電圧を１／２に低くすることで消費電力をそれだけ低くすることができて、倍圧にされた電圧を利用して放電維持期間にサステイン電圧を安定的に供給することができ、駆動波形を安定化させることができる。さらに、本発明の第３実施形態に係るＰＤＰのサステイン駆動装置は従来のＰＤＰのサステイン駆動装置に対してサステイン電圧を１／２に低くすることでスイッチ素子の耐圧電圧を従来の２００Ｖから１００Ｖに低下させることができ、スイッチ素子を低圧スイッチ素子で構成することができるので、費用を低減することができる。
【００９７】
図１１に本発明の第４実施形態に係るＰＤＰのサステイン駆動装置が示されている。本装置は、１／２サステイン電圧源（Ｖｓ／２）と、１／２サステイン電圧源（Ｖｓ／２）とパネルキャパシタ（Ｃｐ）の間に接続された第４ダイオード（Ｄ５４）及びインダクター（Ｌ）と、第４ダイオード（Ｄ５４）及びインダクター（Ｌ）の間である第１ノード（Ｎ５１）に並列接続された第１、第３スイッチ（Ｓ５１、Ｓ５３）と、第１スイッチ（Ｓ５１）と第１ノード（Ｎ５１）の間に接続された第１ダイオード（Ｄ５１）と、第１ノード（Ｎ５１）と第３スイッチ（Ｓ５３）の間に接続された第２ダイオード（Ｄ５２）と、第１スイッチ（Ｓ５１）と第１ダイオード（Ｄ５１）の間の第２ノード（Ｎ５２）と１／２サステイン電圧源（Ｖｓ／２）の間に接続された充電キャパシタ（Ｃｃ）及び第３ダイオード（Ｄ５３）と、充電キャパシタ（Ｃｃ）及び第３ダイオード（Ｄ５３）の間の第３ノード（Ｎ５３）と基底電圧源（ＧＮＤ）の間に接続されたサステインキャパシタ（Ｃｓ）と、サステインキャパシタ（Ｃｓ）と第３ノード（Ｎ５３）の間に接続された第５ダイオード（Ｄ５５）と、インダクター（Ｌ）とパネルキャパシタ（Ｃｐ）の間の第４ノード（Ｎ５４）と第５ダイオード（Ｄ５５）とサステインキャパシタ（Ｃｓ）の間のノード（Ｖｓ）の間に接続された第２スイッチ（Ｓ５２）と、第４ノード（Ｎ５４）と基底電圧源（ＧＮＤ）の間に接続された第４スイッチ（Ｓ５４）を具備する。
【００９８】
パネルキャパシタ（Ｃｐ）はＰＤＰの静電容量値を等価的に示しており、第１端子は第４ノード（Ｎ５４）に接続されて、第２端子は基底電圧源（ＧＮＤ）に接続される。
【００９９】
第１〜第４スイッチ（Ｓ５１〜Ｓ５４）はＭＯＳＦＥＴ、ＩＧＢＴ、ＢＪＴなどの半導体スイッチ素子で実装される。
【０１００】
第１〜第３ダイオード（Ｄ５１〜Ｄ５３）は逆電流を遮断する役目を果たす。第４ダイオード（Ｄ５４）の第１端子は１／２サステイン電圧源（Ｖｓ／２）に接続されて、第２端子は第１、第３スイッチ（Ｓ５１、Ｓ５３）に接続される。このような、第４ダイオード（Ｄ５４）は１／２サステイン電圧源（Ｖｓ／２）の異常発生の際に１／２サステイン電圧源（Ｖｓ／２）からの供給電圧をサステイン駆動装置と分離して駆動することでより安定した電圧供給及び駆動が可能になる。そして、第５ダイオード（Ｄ５５）はサステインキャパシタ（Ｃｓ）に充電されたサステイン電圧（Ｖｓ）が１／２サステイン電圧源（Ｖｓ／２）の方に流れることを遮断する。
【０１０１】
充電キャパシタ（Ｃｃ）は１／２サステイン電圧源（Ｖｓ／２）からの１／２サステイン電圧（Ｖｓ／２）を供給されて倍圧回路によりサステイン電圧（Ｖｓ）に充電される。サステインキャパシタ（Ｃｓ）は充電キャパシタ（Ｃｓ）から供給されるサステイン電圧（Ｖｓ）により充電される。その際、サステインキャパシタ（Ｃｓ）に充電されたサステイン電圧（Ｖｓ）は充電キャパシタ（Ｃｃ）のサステイン電圧（Ｖｓ）がパネルキャパシタ（Ｃｐ）に供給される際に、サステイン電圧（Ｖｓ）を安定的に維持させる役目をする。すなわち、充電キャパシタ（Ｃｃ）からのパネルキャパシタ（Ｃｐ）に供給されるサステイン電圧（Ｖｓ）はサステインキャパシタ（Ｃｓ）によりサステイン電圧（Ｖｓ）を安定的に維持する。
【０１０２】
本発明の第４実施形態に係るＰＤＰのサステイン駆動装置の動作を図１２を参照して説明すると次の通りである。図１２において、Ｖｏｕｔの波形は第４ノード（Ｎ５４）上での出力電圧を示す。
【０１０３】
Ｔ４区間で、第４スイッチ（Ｓ５４）がターンオンされる。第４スイッチ（Ｓ５４）がターンオンすることにより、１／２サステイン電圧源（Ｖｓ／２）、第３ダイオード（Ｄ５３）、充電キャパシタ（Ｃｃ）、第１ダイオード（Ｄ５１）、インダクター（Ｌ）及び第４スイッチ（Ｓ５４）を経由して基底電圧源（ＧＮＤ）につながる電流パスが形成される。その際、充電キャパシタ（Ｃｃ）には１／２サステイン電圧（Ｖｓ／２）が充電される。そして、パネルキャパシタ（Ｃｐ）は第４スイッチ（Ｓ５４）を経由して基底電圧源（ＧＮＤ）に接続されて基底電圧となる。
【０１０４】
その後、Ｔ１区間では、第１スイッチ（Ｓ５１）がターンオンして、第４スイッチ（Ｓ５４）はターンオフされる。第１スイッチ（Ｓ５１）がターンオンすることにより１／２サステイン電圧源（Ｖｓ／２）、第４ダイオード（Ｄ５４）、第１スイッチ（Ｓ５１）、充電キャパシタ（Ｃｃ）、第５ダイオード（Ｄ５５）及びサステインキャパシタ（Ｃｓ）を経由して基底電圧源（ＧＮＤ）につながる電流パスが形成される。その際、Ｔ４区間で充電キャパシタ（Ｃｃ）に充電された１／２サステイン電圧（Ｖｓ／２）が加えられ、倍電圧が第５ダイオード（Ｄ５５）を経ってサステインキャパシタ（Ｃｓ）にサステイン電圧（Ｖｓ）として充電する。これを詳しく説明すると、Ｔ４区間で充電キャパシタ（Ｃｃ）に１／２サステイン電圧（Ｖｓ／２）だけ充電されている。したがって、Ｔ１区間で充電キャパシタ（Ｃｃ）に１／２サステイン電圧（Ｖｓ／２）が供給される際に基準電位は基底電圧（ＧＮＤ）ではないＴ４区間で充電キャパシタ（Ｃｐ）に充電された１／２サステイン電圧（Ｖｓ／２）になる。これにより、Ｔ１区間では充電キャパシタ（Ｃｃ）に１／２サステイン電圧（Ｖｓ／２）が供給されると、すでに充電キャパシタ（Ｃｃ）に充電された１／２サステイン電圧（Ｖｓ／２）がそれに加わって倍電圧が第５ダイオード（Ｄ５５）を経ってサステインキャパシタ（Ｃｓ）に充電される。
【０１０５】
また、Ｔ１区間では、第１スイッチ（Ｓ５１）がターンオンすると１／２サステイン電圧源（Ｖｓ／２）、第４ダイオード（Ｄ５４）、第１スイッチ（Ｓ５１）、第１ダイオード（Ｄ５１）、インダクター（Ｌ）及びパネルキャパシタ（Ｃｐ）を経由して基底電圧源（ＧＮＤ）につながる電流パスが形成される。その際、パネルキャパシタ（Ｃｐ）はインダクター（Ｌ）とともにＬＣ直列共振回路を構成してサステイン電圧（Ｖｓ）まで充電される。
【０１０６】
Ｔ２区間では、第２スイッチ（Ｓ５２）がターンオンして、第１スイッチ（Ｓ５１）はオン状態を維持する。第２スイッチ（Ｓ５２）がターンオンすることにより１／２サステイン電圧源（Ｖｓ／２）、第４ダイオード（Ｄ５４）、第１スイッチ（Ｓ５１）、充電キャパシタ（Ｃｃ）、第５ダイオード（Ｄ５５）、第２スイッチ（Ｓ５２）及びパネルキャパシタ（Ｃｐ）を経由して基底電圧源（ＧＮＤ）につながる電流パスが形成される。これにより、パネルキャパシタ（Ｃｐ）は１／２サステイン電圧源（Ｖｓ／２）からの電圧に充電キャパシタ（Ｃｃ）の電圧が加わった倍電圧が第５ダイオード（Ｄ５５）及び第２スイッチ（Ｓ５２）を経由して供給されるのでサステイン電圧（Ｖｓ）を維持する。
【０１０７】
このＴ２区間で、第３ダイオード（Ｄ５３）は充電キャパシタ（Ｃｃ）の電流が１／２サステイン電圧源（Ｖｓ／２）に流れないように電流パスを遮断する。また、第３ダイオード（Ｄ５３）と充電キャパシタ（Ｃｃ）の間の第３ノード（Ｎ５３）には１／２サステイン電圧（Ｖｓ／２）からサステイン電圧（Ｖｓ）まで変化する電圧がかかる。したがって、この電圧が第２スイッチ（Ｓ５２）を経ってパネルキャパシタ（Ｃｐ）に供給されるときに、サステイン電圧（Ｖｓ）が供給されると問題が発生しないが、サステイン電圧（Ｖｓ）より少ない電圧が供給される場合、十分なパワー供給ができないこともある。したがって、充電キャパシタ（Ｃｃ）に充電されている電圧をサステインキャパシタ（Ｃｓ）に充電させておいて、もし充電キャパシタ（Ｃｃ）で十分でない電圧をパネルキャパシタ（Ｃｐ）に供給するような場合に、サステインキャパシタ（Ｃｓ）に充電されていた電圧が加わって十分なパワーを供給することができる。その際、第５ダイオード（Ｄ５５）はサステインキャパシタ（Ｃｓ）に充電されたサステイン電圧（Ｖｓ）が充電キャパシタ（Ｃｃ）の方へ流れることを遮断する。したがって、１／２サステイン電圧源（Ｖｓ／２）を使いながらもサステインキャパシタ（Ｃｓ）を利用して安定したサステイン電圧（Ｖｓ）を維持することができる。
【０１０８】
Ｔ３区間では、第３スイッチ（Ｓ５３）がターンオンされて、第１と第２スイッチ（Ｓ５１、Ｓ５２）はターンオフする。これにより、パネルキャパシタ（Ｃｐ）は放電されて、パネルキャパシタ（Ｃｐ）から放電される無效電力の電圧成分はインダクター（Ｌ）、第２ダイオード（Ｄ５２）及び第３スイッチ（Ｓ５３）により消滅させられる。その際、第４ダイオード（Ｄ４）により放電電流が１／２サステイン電圧源（Ｖｓ／２）に流れることを遮断する。
【０１０９】
このような本発明の第４実施形態に係るＰＤＰのサステイン駆動装置においてパネルキャパシタ（Ｃｐ）に供給されるサステインパルスはＴ１〜Ｔ４区間を周期的に繰り返されながら発生する。
【０１１０】
図１３は図１２の実験によるプラズマディスプレイパネルのサステイン駆動装置の駆動波形を示すグラフである。
【０１１１】
サステイン電圧は図１３に図示したように大略１８０Ｖになるのでグラフから見えるように充電キャパシタ（Ｃｐ）には９０Ｖから１８０Ｖまで変化する電圧がかかっている。したがって、１８０Ｖより低い電圧では十分なパワーを供給することができないので、回路上にサステイン電圧（Ｖｓ）を充電することができるサステインキャパシタ（Ｃｓ）を設けて、グラフに見えるように丸２のようにいつも一定なサステイン電圧（Ｖｓ）を供給するようにする。ここで丸１の波形は最終出力される波形を示して、丸２の波形は図１１のＶｓ地点にかかる電圧の波形で、サステインキャパシタ（Ｃｓ）によりサステイン電圧（Ｖｓ）で一定に維持される波形を示し、丸３の波形は第３ダイオード（Ｄ５３）と充電キャパシタ（Ｃｃ）の間の第３ノード（Ｎ５３）にかかる電圧の波形を示す。
【０１１２】
このような本発明の第４実施形態に係るＰＤＰのサステイン駆動装置はサステイン放電の特性変化なしにサステイン放電電圧を半分にして駆動させることができ、１／２サステイン電圧を供給しながらも回路上でサステイン電圧をいつも一定に維持させて安定した駆動が可能になる。
【０１１３】
図１４を参照すると、本発明の第５実施形態に係るＰＤＰのサステイン駆動装置は１／２サステイン電圧源（Ｖｓ／２）と、１／２サステイン電圧源（Ｖｓ／２）とパネルキャパシタ（Ｃｐ）の間に接続された第４ダイオード（５Ｄ４）及びインダクター（Ｌ）と、第４ダイオード（５Ｄ４）及びインダクター（Ｌ）の間の第１ノード（５Ｎ１）に並列接続された第１、第３スイッチ（５Ｓ１、５Ｓ３）と、第１スイッチ（５Ｓ１）と第１ノード（５Ｎ１）の間に接続された第１ダイオード（５Ｄ１）と、第１ノード（５Ｎ１）と第３スイッチ（５Ｓ３）の間に接続された第２ダイオード（５Ｄ２）と、第１スイッチ（５Ｓ１）と第１ダイオード（５Ｄ１）の間の第２ノード（５Ｎ２）と１／２サステイン電圧源（Ｖｓ／２）の間に接続された充電キャパシタ（Ｃｃ）及び第３ダイオード（５Ｄ３）と、充電キャパシタ（Ｃｃ）及び第３ダイオード（５Ｄ３）の間の第３ノード（５Ｎ３）とインダクター（Ｌ）とパネルキャパシタ（Ｃｐ）の間の第４ノード（５Ｎ４）の間に接続された第２スイッチ（５Ｓ２）と、第４ノード（５Ｎ４）と基底電圧源（ＧＮＤ）の間に接続された第４スイッチ（５Ｓ４）を具備する。
【０１１４】
パネルキャパシタ（Ｃｐ）はＰＤＰの静電容量値を等価的に示して、第１端子は第４ノード（５Ｎ４）に接続されて、第２端子は基底電圧源（ＧＮＤ）に接続される。
【０１１５】
第１〜第４スイッチ（５Ｓ１〜５Ｓ４）はＭＯＳＦＥＴ、ＩＧＢＴ、ＢＪＴなどの半導体スイッチ素子で実装される。
【０１１６】
第１〜第３ダイオード（５Ｄ１〜５Ｄ３）は逆電流を遮断する役目を果たす。第４ダイオード（５Ｄ４）の第１端子は１／２サステイン電圧源（Ｖｓ／２）に接続されて、第２端子は第１、第３スイッチ（５Ｓ１、５Ｓ３）に接続される。このような、第４ダイオード（Ｄ５４）は１／２サステイン電圧源（Ｖｓ／２）の異常発生の際に、１／２サステイン電圧源（Ｖｓ／２）からの供給電圧をサステイン駆動装置と分離して駆動することでより安定した電圧供給及び駆動が可能になる。
【０１１７】
充電キャパシタ（Ｃｃ）は１／２サステイン電圧源（Ｖｓ／２）から充電され、その充電された電圧（Ｖｓ／２）を１／２サステイン電圧源（Ｖｓ／２）から供給された電圧に加わえてパネルキャパシタ（Ｃｐ）にサステイン電圧（Ｖｓ）を供給する。
【０１１８】
本発明の第５実施形態に係るＰＤＰのサステイン駆動装置の動作を図１５を参照して説明すると次の通りである。図１５において、Ｖｏｕｔの波形は第４ノード（５Ｎ４）上での出力電圧を示す。
【０１１９】
Ｔ４区間で、第４スイッチ（５Ｓ４）はターンオン状態で、第１〜第３スイッチ（５Ｓ１〜５Ｓ３）はターンオフ状態を維持する。その際、充電キャパシタ（Ｃｃ）は第３ノード（５Ｎ３）及び第３ダイオード（５Ｄ３）を経由して１／２サステイン電圧源（Ｖｓ／２）に接続される。これにより、充電キャパシタ（Ｃｃ）には１／２サステイン電圧（Ｖｓ／２）が充電される。すなわち、第４スイッチ（５Ｓ４）がターンオンして第２ノード（５Ｎ２）は第１ダイオード（５Ｄ１）とインダクター（Ｌ）を通して基底電位（ＧＮＤ）に落ちるので充電キャパシタ（Ｃｃ）の（−）端子は基底電圧源（ＧＮＤ）に接続される。これにより、充電キャパシタ（Ｃｃ）は第３ノード（５Ｎ３）に接続された第３ノード（５Ｎ３）を経由して（＋）端子に供給される１／２サステイン電圧（Ｖｓ／２）を充電する。また、Ｔ４区間では、パネルキャパシタ（Ｃｐ）は第４スイッチ（５Ｓ４）を経由して基底電圧源（ＧＮＤ）に接続されて基底電圧（ＧＮＤ）になる。
【０１２０】
Ｔ１区間では、第４スイッチ（５Ｓ４）がターンオフして、第１スイッチ（５Ｓ１）がターンオンされて、第２、第３スイッチ（５Ｓ２、５Ｓ３）はオフ状態を維持する。第１スイッチ（５Ｓ１）がターンオンすることにより１／２サステイン電圧源（Ｖｓ／２）からの供給電圧は第４ダイオード（５Ｄ４）、第１ダイオード（５Ｄ１）及びインダクター（Ｌ）を通してパネルキャパシタ（Ｃｐ）を充電させる。この区間の間、パネルキャパシタ（Ｃｐ）はインダクター（Ｌ）とともにＬＣ直列共振回路を構成することによりサステイン電圧（Ｖｓ）まで充電される。その際、第２ノード（５Ｎ２）では第１スイッチ（５Ｓ１）のターンオンにより１／２サステイン電圧（Ｖｓ／２）を維持する。また、第４ノード（５Ｎ４）では、ＬＣ直列共振回路により共振パルスが１／２サステイン電圧（Ｖｓ／２）以上に上昇するが、第１ダイオード（５Ｄ１）により阻止されて１／２サステイン電圧（Ｖｓ／２）を維持する。したがって、Ｔ１区間では、第４ノード（５Ｎ４）の１／２サステイン電圧（Ｖｓ／２）に充電キャパシタ（Ｃｃ）にすでに充電された１／２サステイン電圧（Ｖｓ／２）が加わって得ようとするサステイン電圧（Ｖｓ）を得ることができる。
【０１２１】
Ｔ２区間では、第２スイッチ（５Ｓ２）がターンオンされて、第１スイッチ（５Ｓ１）はオン状態を維持する。第３、第４スイッチ（５Ｓ３、５Ｓ４）はオフ状態を維持する。その際、パネルキャパシタ（Ｃｐ）は１／２サステイン電圧源（Ｖｓ／２）からの電圧と充電キャパシタ（Ｃｃ）の電圧が加わった倍電圧が第３、第４ノード（５Ｎ３、５Ｎ４）を経由して供給されるのでサステイン電圧（Ｖｓ）を維持する。この区間の間、充電キャパシタ（Ｃｃ）は第１スイッチ（５Ｓ１）がターンオン状態を維持しているので第１スイッチ（５Ｓ１）を経由して供給される電圧により１／２サステイン電圧（Ｖｓ／２）を維持する。このために、第１スイッチ（５Ｓ１）のターンオフ時点は第２スイッチ（５Ｓ２）のターンオフと同一にする。第３ダイオード（５Ｄ３）は充電キャパシタ（Ｃｃ）の電流が１／２サステイン電圧源（Ｖｓ／２）に流れないように電流パスを遮断する。
【０１２２】
Ｔ３区間では、第３スイッチ（５Ｓ３）がターンオンする。この区間で第１と第２スイッチ（５Ｓ１、５Ｓ２）はターンオフして、第４スイッチ（５Ｓ４）はオフ状態を維持する。これにより、パネルキャパシタ（Ｃｐ）は放電して、パネルキャパシタ（Ｃｐ）から放電される無效電力の電圧成分はインダクター（Ｌ）、第２ダイオード（５Ｄ２）、第３スイッチ（５Ｓ３）により消滅させられる。その際、第４ダイオード（５Ｄ４）により放電電流が１／２サステイン電圧源（Ｖｓ／２）に流れることが遮断される。
【０１２３】
このような、本発明の第５実施形態に係るＰＤＰのサステイン駆動装置においてパネルキャパシタ（Ｃｐ）に供給されるサステインパルスはＴ１〜Ｔ４区間を周期的に繰り返されながら発生する。
【０１２４】
このような、本発明の第５実施形態に係るＰＤＰのサステイン駆動装置は１／２サステイン電圧源に充電キャパシタを接続して、１／２サステイン電圧に充電キャパシタ電圧を加えてパネルキャパシタに供給する。また、充電キャパシタの充電パスをパネルの充／放電パスと分離して駆動する。これにより、本発明の第５実施形態に係るＰＤＰのサステイン駆動装置は従来のＰＤＰのサステイン駆動装置に比べてサステイン電圧を１／２に低くすることができ、消費電力をそれだけ低くすることができる。また、倍増させた電圧を利用して放電維持期間にサステイン電圧を安定的に供給して駆動波形を安定化させることができる。
【０１２５】
図１６に本発明の第６実施形態に係るＰＤＰのサステイン駆動装置が記載されている。本装置は１／２サステイン電圧源（Ｖｓ／２）と、１／２サステイン電圧源（Ｖｓ／２）とパネルキャパシタ（Ｃｐ）の第１端子に接続された第４ノード（６Ｎ４）の間に接続された第１インダクター（Ｌ１）と、第１インダクター（Ｌ１）と１／２サステイン電圧源（Ｖｓ／２）の間に接続された第４ダイオード（６Ｄ４）と、第４ダイオード（６Ｄ４）と第１インダクター（Ｌ１）の間に接続された第２ダイオード（６Ｄ２）と、第４ダイオード（６Ｄ４）と第２ダイオード（６Ｄ２）の間の第１ノード（６Ｎ１）に並列接続された第１、第３スイッチ（６Ｓ１、６Ｓ３）と、第１スイッチ（６Ｓ１）と第４ノード（６Ｎ４）の間に接続された第２インダクター（Ｌ２）と、第１スイッチ（６Ｓ１）と第２インダクター（Ｌ２）の間に接続された第１ダイオード（６Ｄ１）と、第２インダクター（Ｌ２）と第４ノード（６Ｎ４）の間のノードと第１ノード（６Ｎ１）の間に接続された第３ダイオード（６Ｄ３）及び第２スイッチ（６Ｓ２）と、第２スイッチ（６Ｓ２）と第３ダイオード（６Ｄ３）の間の第２ノード（６Ｎ２）と第１スイッチ（６Ｓ１）と第２インダクター（Ｌ２）の間の第３ノード（６Ｎ３）の間に接続された充電キャパシタ（Ｃｃ）と、第１インダクター（Ｌ１）と第４ノード（６Ｎ４）の間のノードと基底電圧源（ＧＮＤ）の間に接続された第４スイッチ（６Ｓ４）を具備する。
【０１２６】
パネルキャパシタ（Ｃｐ）はＰＤＰの静電容量値を等価的に示しており、第１端子は第４ノード（６Ｎ４）に接続されて、第２端子は基底電圧源（ＧＮＤ）に接続される。
【０１２７】
第１〜第４スイッチ（６Ｓ１〜６Ｓ４）はＭＯＳＦＥＴ、ＩＧＢＴ、ＢＪＴなどの半導体スイッチ素子で実装される。
【０１２８】
第１ダイオード（６Ｄ１）はパネルキャパシタ（Ｃｐ）から第３ノード（６Ｎ３）の方に流れる逆電流を遮断して、第２ダイオード（６Ｄ２）は第１ノード（６Ｎ１）から第１インダクター（Ｌ１）の方に流れる逆電流を遮断する。そして、第３ダイオード（６Ｄ３）は第２ノード（６Ｎ２）から第１ノード（６Ｎ１）の方に流れる逆電流を遮断して、第４ダイオード（６Ｄ４）は１／２サステイン電圧源（ＶＳ／２）からの供給電圧を安定的に充電キャパシタ（Ｃｃ）に供給させる役目をする。
【０１２９】
第１インダクター（Ｌ１）のインダクタンスはパネル放電の際に無效電力の回収效率を高めるように充分に大きく設定し、第２インダクター（Ｌ２）のインダクタンスはパネル充電の際に駆動波形の立ち上がり時間が速くなるように小さいものを使用する。
【０１３０】
充電キャパシタ（Ｃｃ）は１／２サステイン電圧源（Ｖｓ／２）により充電され、その充電キャパシタ（Ｃｃ）に充電された電圧（Ｖｓ／２）を１／２サステイン電圧源（Ｖｓ／２）から供給された電圧に加わえてパネルキャパシタ（Ｃｐ）にサステイン電圧（Ｖｓ）を供給する。
【０１３１】
本発明の第６実施形態に係るＰＤＰのサステイン駆動装置の動作を図１７を参照して説明すると次の通りである。図１７において、Ｖｏｕｔの波形は第４ノード（６Ｎ４）上での出力電圧を示す。
【０１３２】
Ｔ４区間で、第４スイッチ（６Ｓ４）はターンオン状態を維持し、第１〜第３スイッチ（６Ｓ１〜６Ｓ３）はターンオフ状態を維持する。これにより、充電キャパシタ（Ｃｃ）の一方の端子は第４、第３ダイオード（６Ｄ４、６Ｄ３）を経由して１／２サステイン電圧源（Ｖｓ／２）に接続されて、充電キャパシタ（Ｃｐ）の他方の端子は第３ノード（６Ｎ３）、第２インダクター（Ｌ２）、第４ノード（６Ｎ４）及び第４スイッチ（６Ｓ４）を経由して基底電圧源（ＧＮＤ）に接続される。したがって、充電キャパシタ（Ｃｃ）は第４、第３ダイオード（６Ｄ４、６Ｄ３）を経由して供給される電圧で１／２サステイン電圧（Ｖｓ／２）まで充電される。また、このＴ４区間で、パネルキャパシタ（Ｃｐ）は第４スイッチ（６Ｓ４）を経由して基底電圧源（ＧＮＤ）に接続されて基底電圧（ＧＮＤ）になる。
【０１３３】
一方、充電キャパシタ（Ｃｃ）はサスティン期間でなくても、サブフィールド動作区間の第４スイッチ（６Ｓ４）がターンオンされたいかなる区間にも充電されるので十分充電される。
【０１３４】
Ｔ１区間では、第４スイッチ（６Ｓ４）がターンオフして、第１スイッチ（６Ｓ１）がターンオンする。第２、第３スイッチ（６Ｓ２、６Ｓ３）はターンオフ状態を維持する。第１スイッチ（６Ｓ１）がターンオンすることにより、１／２サステイン電圧源（Ｖｓ／２）からの供給電圧が、第４ダイオード（６Ｄ４）、第１スイッチ（６Ｓ１）、第１ダイオード（６Ｄ１）及び第２インダクター（Ｌ２）を通してパネルキャパシタ（Ｃｐ）に充電される。この区間の間、パネルキャパシタ（Ｃｐ）は第２インダクター（Ｌ２）とともにＬＣ直列共振回路を構成するのでサステイン電圧（Ｖｓ）まで充電される。これと同時に、充電キャパシタ（Ｃｃ）は第１ダイオード（６Ｄ１）によりパネルキャパシタ（Ｃｐ）からの逆電流が遮られて、第３ダイオード（６Ｄ３）を通して１／２サステイン電圧源（Ｖｓ／２）から供給される電圧により１／２サステイン電圧（Ｖｓ／２）を維持する。
【０１３５】
Ｔ２区間では、第２スイッチ（６Ｓ２）がターンオンされて、第１スイッチ（６Ｓ１）はターンオン状態を維持して、第３、第４スイッチ（６Ｓ３、６Ｓ４）はターンオフ状態を維持する。その際、パネルキャパシタ（Ｃｐ）は１／２サステイン電圧源（Ｖｓ／２）の電圧と充電キャパシタ（Ｃｃ）の電圧が加わった倍電圧が第２スイッチ（６Ｓ２）と第４ノード（６Ｎ４）を経由して供給されるのでサステイン電圧（Ｖｓ）を維持する。この区間で、充電キャパシタ（Ｃｃ）は第１スイッチ（６Ｓ１）がターンオン状態を維持しているので第１スイッチ（６Ｓ１）を経由して供給される電圧により１／２サステイン電圧（Ｖｓ／２）を維持する。このために、第１スイッチ（６Ｓ１）のターンオフ時点は第２スイッチ（６Ｓ２）のターンオフ時点と同一にする。第３ダイオード（６Ｄ３）は充電キャパシタ（Ｃｃ）の電流が１／２サステイン電圧源（Ｖｓ／２）に流れないように電流パスを遮断する。
【０１３６】
Ｔ３区間では、第３スイッチ（６Ｓ３）がターンオンする。この区間で、第１と第２スイッチ（６Ｓ１、６Ｓ２）はターンオフして、第４スイッチ（６Ｓ４）はオフ状態を維持する。その際、パネルキャパシタ（Ｃｐ）は放電して、パネルキャパシタ（Ｃｐ）から放電する無效電力の電圧成分は第１インダクター（Ｌ１）、第２ダイオード（６Ｄ２）、第３スイッチ（６Ｓ３）、第３ダイオード（６Ｄ３）及び充電キャパシタ（Ｃｃ）により消滅させられる。
【０１３７】
このような、本発明の第６実施形態に係るＰＤＰのサステイン駆動装置においてパネルキャパシタ（Ｃｐ）に供給されるサステインパルスはＴ１〜Ｔ４区間を周期的に繰り返されながら発生する。
【０１３８】
このような、本第６実施形態に係るＰＤＰのサステイン駆動装置は１／２サステイン電圧源に充電キャパシタを直接接続して１／２サステイン電圧を充電キャパシタ電圧に加えてパネルに供給する。したがって、本発明の第６実施形態に係るＰＤＰのサステイン駆動装置は従来のＰＤＰのサステイン駆動装置に対してサステイン電圧を１／２に低くすることができ、消費電力をそれだけ低くすることができる。一方、倍増された電圧を利用して放電維持期間にサステイン電圧を安定的に供給することで駆動波形を安定化させることができる。さらに、本発明の第６実施形態に係るＰＤＰのサステイン駆動装置は、従来のＰＤＰのサステイン駆動装置におけるサステイン電圧を１／２に低くすることができ、耐圧電圧を従来の２００Ｖから１００Ｖに低めた低圧スイッチ素子を用いることができるので費用を低減させることができる。
【０１３９】
図１８を参照すると、本発明の第７実施形態に係るＰＤＰのサステイン駆動装置は、１／２サステイン電圧源（Ｖｓ／２）と、１／２サステイン電圧源（Ｖｓ／２）とパネルキャパシタ（Ｃｐ）の第１端子に接続された第４ノード（７Ｎ４）の間に接続された第１インダクター（Ｌ１）と、第１インダクター（Ｌ１）と１／２サステイン電圧源（Ｖｓ／２）の間に接続された第４ダイオード（７Ｄ４）と、第４ダイオード（７Ｄ４）と第１インダクター（Ｌ１）の間に接続された第２ダイオード（７Ｄ２）と、第４ダイオード（７Ｄ４）と第２ダイオード（７Ｄ２）の間の第１ノード（７Ｎ１）に並列接続された第１、第３スイッチ（７Ｓ１、７Ｓ３）と、第１スイッチ（７Ｓ１）と第４ノード（７Ｎ４）の間に接続された第２インダクター（Ｌ２）と、第１スイッチ（７Ｓ１）と第２インダクター（Ｌ２）の間に接続された第１ダイオード（７Ｄ１）と、１／２サステイン電圧源（Ｖｓ／２）と第４ダイオード（７Ｄ４）の間の第５ノード（７Ｎ５）と基底電圧源（ＧＮＤ）の間に接続された第３ダイオード（７Ｄ３）、第５ダイオード（７Ｄ５）及びサステインキャパシタ（Ｃｓ）と、サステインキャパシタ（Ｃｓ）と第５ダイオード（７Ｄ５）の間の第６ノード（７Ｎ６）と第２インダクター（Ｌ２）と第４ノード（７Ｎ４）の間のノードの間に接続された第２スイッチ（７Ｓ２）と、第３ダイオード（７Ｄ３）と第５ダイオード（７Ｄ５）の間の第２ノード（７Ｎ２）と第１スイッチ（７Ｓ１）と第１ダイオード（７Ｄ１）の間の第３ノード（７Ｎ３）の間に接続された充電キャパシタ（Ｃｃ）と、第１インダクター（Ｌ１）と第４ノード（７Ｎ４）の間のノードと基底電圧源（ＧＮＤ）の間に接続された第４スイッチ（７Ｓ４）を具備する。
【０１４０】
パネルキャパシタ（Ｃｐ）はＰＤＰの静電容量値を等価的に示して、第１端子は第４ノード（７Ｎ４）に接続され、第２端子は基底電圧源（ＧＮＤ）に接続される。
【０１４１】
第１〜第４スイッチ（７Ｓ１〜７Ｓ４）はＭＯＳＦＥＴ、ＩＧＢＴ、ＢＪＴなどの半導体スイッチ素子で実装される。
【０１４２】
第１ダイオード（７Ｄ１）はパネルキャパシタ（Ｃｐ）から第３ノード（７Ｎ３）の方に流れる逆電流を遮断して、第２ダイオード（７Ｄ２）は第１ノード（７Ｎ１）から第１インダクター（Ｌ１）の方に流れる逆電流を遮断する。そして、第３ダイオード（７Ｄ３）は第２ノード（７Ｎ２）から１／２サステイン電圧源（ＶＳ／２）の方に流れる逆電流を遮断して、第４ダイオード（７Ｄ４）は１／２サステイン電圧源（ＶＳ／２）からの供給電圧を安定的に充電キャパシタ（Ｃｃ）に供給させる役目をする。第５ダイオード（７Ｄ５）はサステインキャパシタ（Ｃｓ）から第２ノード（７Ｎ２）の方に流れる逆電流を遮断する。
【０１４３】
第１インダクター（Ｌ１）のインダクタンスはパネル放電の際に無效電力の回収效率を高めるように充分に大きい物を使用し、第２インダクター（Ｌ２）のインダクタンスはパネル充電の際に駆動波形の立ち上がり時間が速くなるように小さいものを使用する。
【０１４４】
充電キャパシタ（Ｃｃ）は１／２サステイン電圧源（Ｖｓ／２）からの１／２サステイン電圧（Ｖｓ／２）を供給されて倍圧回路によりサステイン電圧（Ｖｓ）の充電される。サステインキャパシタ（Ｃｓ）は充電キャパシタ（Ｃｃ）から供給されるサステイン電圧（Ｖｓ）により充電される。サステインキャパシタ（Ｃｓ）に充電されたサステイン電圧（Ｖｓ）は、充電キャパシタ（Ｃｃ）のサステイン電圧（Ｖｓ）がパネルキャパシタ（Ｃｐ）に供給される際に、サステイン電圧（Ｖｓ）を安定的に維持させる役目を果たす。充電キャパシタ（Ｃｃ）からパネルキャパシタ（Ｃｐ）に供給されるサステイン電圧（Ｖｓ）は、サステインキャパシタ（Ｃｓ）によりサステイン電圧（Ｖｓ）を安定的に維持する。
【０１４５】
本発明の第７実施形態に係るＰＤＰのサステイン駆動装置の動作を図１９を参照して説明すると次の通りである。図１９において、Ｖｏｕｔの波形は第４ノード（７Ｎ４）上での出力電圧を示す。
【０１４６】
Ｔ４区間では、第４スイッチ（７Ｓ４）がターンオンする。第４スイッチ（７Ｓ４）がターンオンすると１／２サステイン電圧源（Ｖｓ／２）から第３ダイオード（７Ｄ３）、充電キャパシタ（Ｃｃ）、第１ダイオード（７Ｄ１）、第２インダクター（Ｌ２）及び第４スイッチ（７Ｓ４）を経由して基底電圧源（ＧＮＤ）につながる電流パスが形成される。これにより、充電キャパシタ（Ｃｃ）には１／２サステイン電圧（Ｖｓ／２）が充電される。そして、第４スイッチ（７Ｓ４）がターンオンすることによりパネルキャパシタ（Ｃｐ）は第４スイッチ（７Ｓ４）を経由して基底電圧源（ＧＮＤ）に接続されて、基底電圧（ＧＮＤ）になる。
【０１４７】
Ｔ１区間では、第１スイッチ（７Ｓ１）がターンオンする。第１スイッチ（７Ｓ１）がターンオンすることにより１／２サステイン電圧源（Ｖｓ／２）からの供給電圧は第４ダイオード（７Ｄ４）、第１スイッチ（７Ｓ１）、第１ダイオード（７Ｄ１）、第２インダクター（Ｌ２）及びパネルキャパシタ（Ｃｐ）を経由して基底電圧源（ＧＮＤ）につながる電流パスが形成される。これにより、パネルキャパシタ（Ｃｐ）はインダクター（Ｌ）とともにＬＣ直列共振回路を構成してサステイン電圧（Ｖｓ）まで充電される。
【０１４８】
また、Ｔ１区間で、第１スイッチ（７Ｓ１）がターンオンすると１／２サステイン電圧源（Ｖｓ／２）、第４ダイオード（７Ｄ４）、第１スイッチ（７Ｓ１）、充電キャパシタ（Ｃｃ）、第５ダイオード（７Ｄ５）及びサステインキャパシタ（Ｃｓ）を経由して基底電圧源（ＧＮＤ）につながる電流パスが形成される。これにより、Ｔ１区間では、充電キャパシタ（Ｃｃ）に充電された１／２サステイン電圧（Ｖｓ／２）に加わった倍電圧が第５ダイオード（７Ｄ５）を経由してサステインキャパシタ（Ｃｓ）に充電される。これを詳しく説明すると、Ｔ４区間で充電キャパシタ（Ｃｃ）に充電された１／２サステイン電圧（Ｖｓ／２）により、充電キャパシタ（Ｃｃ）に１／２サステイン電圧（Ｖｓ／２）が供給される際に基準電位は基底電圧（ＧＮＤ）ではなく充電キャパシタ（Ｃｃ）に充電された１／２サステイン電圧（Ｖｓ／２）になる。これにより、Ｔ１区間では、充電キャパシタ（Ｃｃ）に１／２サステイン電圧（Ｖｓ／２）が供給されると、充電キャパシタ（Ｃｃ）に充電された１／２サステイン電圧（Ｖｓ／２）が加わった倍電圧が第５ダイオード（７Ｄ５）を経ってサステインキャパシタ（Ｃｓ）に充電される。
【０１４９】
Ｔ２区間では、第２スイッチ（７Ｓ２）がターンオンされて、第１スイッチ（７Ｓ１）はターンオン状態を維持する。第２スイッチ（７Ｓ２）がターンオンすると１／２サステイン電圧源（Ｖｓ／２）、第４ダイオード（７Ｄ４）、第１スイッチ（７Ｓ１）、充電キャパシタ（Ｃｃ）、第５ダイオード（７Ｄ５）、第２スイッチ（７Ｓ２）及びパネルキャパシタ（Ｃｐ）を経由して基底電圧源（ＧＮＤ）につながる電流パスが形成される。その際、パネルキャパシタ（Ｃｐ）は１／２サステイン電圧源（Ｖｓ／２）からの電圧と充電キャパシタ（Ｃｐ）の電圧が加わった倍電圧が第５ダイオード（７Ｄ５）及び第２スイッチ（７Ｓ２）を経由して供給されるのでサステイン電圧（Ｖｓ）を維持する。第３ダイオード（７Ｄ３）は充電キャパシタ（Ｃｃ）の電流が１／２サステイン電圧源（Ｖｓ／２）に流れないように電流パスを遮断する。
【０１５０】
その際、第３ダイオード（７Ｄ３）と充電キャパシタ（Ｃｃ）の間の第２ノード（７Ｎ２）には１／２サステイン電圧（Ｖｓ／２）からサステイン電圧（Ｖｓ）まで変化する電圧がかかる。したがって、この電圧が第２スイッチ（７Ｓ２）を経由してパネルキャパシタ（Ｃｐ）に供給される場合、サステイン電圧（Ｖｓ）が供給されれば問題が発生しないが、サステイン電圧（Ｖｓ）より少ない電圧が供給されると、十分なパワー供給ができないこともある。したがって、充電キャパシタ（Ｃｐ）に充電されている電圧をサステインキャパシタ（Ｃｓ）に充電させて、もし充電キャパシタ（Ｃｐ）で十分ではない電圧をパネルキャパシタ（Ｃｐ）に供給する場合でも、サステインキャパシタ（Ｃｓ）に充電されていた電圧が加わって十分なパワーを供給することができるようにする。その際、第５ダイオード（７Ｄ５）はサステインキャパシタ（Ｃｓ）に充電されたサステイン電圧（Ｖｓ）が充電キャパシタ（Ｃｐ）方に流れることを遮断する。したがって、１／２サステイン電圧源（Ｖｓ／２）を使用してもサステインキャパシタ（Ｃｓ）を利用して安定したサステイン電圧（Ｖｓ）を維持することができる。
【０１５１】
Ｔ３区間では、第３スイッチ（７Ｓ３）がターンオンする。その際、パネルキャパシタ（Ｃｐ）は放電して、パネルキャパシタ（Ｃｐ）から放電される無效電力の電圧成分は第１インダクター（７Ｌ１）、第２ダイオード（７Ｄ２）及び第３スイッチ（７Ｓ３）により消滅される。その際、第４ダイオード（７Ｄ４）により放電電流が１／２サステイン電圧源（Ｖｓ／２）に流れるのを遮断する。
【０１５２】
このような、本発明の第７実施形態に係るＰＤＰのサステイン駆動装置におけるパネルキャパシタ（Ｃｐ）に供給されるサステインパルスはＴ１〜Ｔ４区間を周期的に繰り返されながら発生する。
【０１５３】
このような、本発明の第７実施形態に係るＰＤＰのサステイン駆動装置はサステイン放電の特性変化なしにサステイン放電電圧を半分に低くして駆動させることができて、１／２サステイン電圧を供給しても回路上でサステイン電圧をいつも一定に維持させて安定した駆動が可能になる。
【０１５４】
図２０を参照すると、本発明の第８実施形態に係るＰＤＰのサステイン駆動装置は、１／２サステイン電圧源（Ｖｓ／２）と、１／２サステイン電圧源（Ｖｓ／２）とパネルキャパシタ（Ｃｐ）の第１端子に接続された第４ノード（８Ｎ４）の間に接続された第１インダクター（Ｌ１）と、第１インダクター（Ｌ１）と１／２サステイン電圧源（Ｖｓ／２）の間に接続された第４ダイオード（８Ｄ４）と、第４ダイオード（８Ｄ４）と第１インダクター（Ｌ１）の間に接続された第２ダイオード（８Ｄ２）と、第４ダイオード（８Ｄ４）と第２ダイオード（８Ｄ２）の間の第１ノード（８Ｎ１）に並列接続された第１、第３スイッチ（８Ｓ１、８Ｓ３）と、第１スイッチ（８Ｓ１）と第４ノード（８Ｎ４）の間に接続された第２インダクター（Ｌ２）と、第１スイッチ（８Ｓ１）と第２インダクター（Ｌ２）の間に接続された第１ダイオード（８Ｄ１）と、１／２サステイン電圧源（Ｖｓ／２）と第４ダイオード（８Ｄ４）の間の第５ノード（８Ｎ５）と第２インダクター（Ｌ２）と第４ノード（８Ｎ４）の間のノードに接続された第３ダイオード（８Ｄ３）及び第２スイッチ（８Ｓ２）と、第３ダイオード（８Ｄ３）と第２スイッチ（８Ｓ２）の間の第２ノード（８Ｎ２）と第１スイッチ（８Ｓ１）と第１ダイオード（８Ｄ１）の間の第３ノード（８Ｎ３）の間に接続された充電キャパシタ（Ｃｃ）と、第１インダクター（Ｌ１）と第４ノード（８Ｎ４）の間のノードと基底電圧源（ＧＮＤ）の間に接続された第４スイッチ（８Ｓ４）を具備する。
【０１５５】
パネルキャパシタ（Ｃｐ）はＰＤＰの静電容量値を等価的に示しており、第１端子は第４ノード（８Ｎ４）に接続されて、第２端子は基底電圧源（ＧＮＤ）に接続される。
【０１５６】
第１〜第４スイッチ（８Ｓ１〜８Ｓ４）はＭＯＳＦＥＴ、ＩＧＢＴ、ＢＪＴなどの半導体スイッチ素子で実装される。
【０１５７】
第１ダイオード（８Ｄ１）はパネルキャパシタ（Ｃｐ）から第３ノード（８Ｎ３）の方に流れる逆電流を遮断して、第２ダイオード（８Ｄ２）は第１ノード（８Ｎ１）から第１インダクター（Ｌ１）の方に流れる逆電流を遮断する。そして、第３ダイオード（８Ｄ３）は第２ノード（８Ｎ２）から１／２サステイン電圧源（ＶＳ／２）の方に流れる逆電流を遮断して、第４ダイオード（８Ｄ４）は１／２サステイン電圧源（ＶＳ／２）からの供給電圧を安定的に充電キャパシタ（Ｃｃ）に供給させる役目をする。
【０１５８】
第１インダクター（Ｌ１）のインダクタンスはパネル放電の際に無效電力の回収效率を高めるように充分に大きいものとし、第２インダクター（Ｌ２）のインダクタンスはパネル充電の際に駆動波形の立ち上がり時間が速くなるように小さいものを使用する。
【０１５９】
充電キャパシタ（Ｃｃ）は１／２サステイン電圧源（Ｖｓ／２）からの１／２サステイン電圧（Ｖｓ／２）が供給されて、倍圧回路によりサステイン電圧（Ｖｓ）に充電される。
【０１６０】
本発明の第８実施形態に係るＰＤＰのサステイン駆動装置の動作を図２１を参照して説明すると次の通りである。図２１において、Ｖｏｕｔの波形は第４ノード（８Ｎ４）上での出力電圧を示す。
【０１６１】
Ｔ４区間で、第４スイッチ（８Ｓ４）がオン状態を維持し、第１〜第３スイッチ（８Ｓ１〜８Ｓ３）はオフ状態を維持する。その際、充電キャパシタ（Ｃｃ）の一方の端子は第３ダイオード（８Ｄ３）を経由して１／２サステイン電圧源（Ｖｓ／２）に接続されており、充電キャパシタ（Ｃｐ）の他方の端子は第３ノード（８Ｎ３）、第１ダイオード（８Ｄ１）、第２インダクター（Ｌ２）、第６ノード（８Ｎ６）、第４ノード（８Ｎ４）及び第４スイッチ（８Ｓ４）を経由して基底電圧源（ＧＮＤ）に接続される。したがって、充電キャパシタ（Ｃｃ）は第３ダイオード（８Ｄ３）を経由して供給される電圧で１／２サステイン電圧（Ｖｓ／２）まで充電する。また、Ｔ４区間で、パネルキャパシタ（Ｃｐ）は第４スイッチ（８Ｓ４）を経由して基底電圧源（ＧＮＤ）に接続されて基底電圧（ＧＮＤ）になる。
【０１６２】
一方、充電キャパシタ（Ｃｃ）は放電維持区間、すなわちサスティン区間でなくてもサブフィールド動作区間の中の第４スイッチ（８Ｓ４）がターンオンされたどのような区間にも充電されるようになっているので電圧充電には一切問題がない。
【０１６３】
Ｔ１区間では、第４スイッチ（８Ｓ４）がターンオフして、第１スイッチ（８Ｓ１）がターンオンされて、第２、第３スイッチ（８Ｓ２、８Ｓ３）はオフ状態を維持する。第１スイッチ（８Ｓ１）がターンオンすることにより１／２サステイン電圧源（Ｖｓ／２）からの供給電圧は第４ダイオード（８Ｄ４）、第１スイッチ（８Ｓ１）、第１ダイオード（８Ｄ１）及び第２インダクター（Ｌ２）を通してパネルキャパシタ（Ｃｐ）を充電する。この区間の間、パネルキャパシタ（Ｃｐ）は第２インダクター（Ｌ２）とともにＬＣ直列共振回路を構成してサステイン電圧（Ｖｓ）まで充電される。これと同時に、充電キャパシタ（Ｃｃ）は第１ダイオード（８Ｄ１）によりパネルキャパシタ（Ｃｐ）からの逆電流が遮られて、第３ダイオード（８Ｄ３）を通して１／２サステイン電圧源（Ｖｓ／２）から供給される電圧により１／２サステイン電圧（Ｖｓ／２）を維持する。
【０１６４】
Ｔ２区間では、第２スイッチ（８Ｓ２）がターンオンされて、第１スイッチ（８Ｓ１）はターンオン状態を維持する。第３、第４スイッチ（８Ｓ３、８Ｓ４）はオフ状態を維持する。その際、パネルキャパシタ（Ｃｐ）は１／２サステイン電圧源（Ｖｓ／２）の電圧と充電キャパシタ（Ｃｃ）の電圧の加わった倍電圧が第２スイッチ（８Ｓ２）と第４ノード（８Ｎ４）を経由して供給されるのでサステイン電圧（Ｖｓ）を維持する。この区間の間、充電キャパシタ（Ｃｃ）は第１スイッチ（８Ｓ１）がオン状態を維持しているので第１スイッチ（８Ｓ１）を経由して供給される電圧により１／２サステイン電圧（Ｖｓ／２）を維持する。このために、第１スイッチ（８Ｓ１）のターンオフ時点は第２スイッチ（８Ｓ２）のターンオフ時点と同一にする。第３ダイオード（８Ｄ３）は充電キャパシタ（Ｃｃ）の電流が１／２サステイン電圧源（Ｖｓ／２）に流れないように電流パスを遮断する。
【０１６５】
Ｔ３区間では、第３スイッチ（８Ｓ３）がターンオンする。この区間で、第１と第２スイッチ（８Ｓ１、８Ｓ２）はターンオフして、第４スイッチ（８Ｓ４）はオフ状態を維持する。その際、パネルキャパシタ（Ｃｐ）は放電して、パネルキャパシタ（Ｃｐ）から放電する無效電力の電圧成分は第１インダクター（Ｌ１）、第２ダイオード（８Ｄ２）及び第３スイッチ（８Ｓ３）により消滅される。
【０１６６】
このような、本発明の第８実施形態に係るＰＤＰのサステイン駆動装置におけるパネルキャパシタ（Ｃｐ）に供給されるサステインパルスはＴ１〜Ｔ４区間を周期的に繰り返されながら発生する。
【０１６７】
このような、本発明の第８実施形態に係るＰＤＰのサステイン駆動装置は１／２サステイン電圧源に充電キャパシタを直接接続して、１／２サステイン電圧を充電キャパシタ電圧に加えてパネルキャパシタに供給する。また、充電キャパシタの充電パスをパネルの充／放電パスと分離して駆動する。これにより、本発明の第８実施形態に係るＰＤＰのサステイン駆動装置は従来のＰＤＰのサステイン駆動装置に対してサステイン電圧を１／２に低くすることができ、消費電力をそれだけ低くすることができる。また、倍増された電圧を利用して放電維持期間にサステイン電圧を安定的に供給して駆動波形を安定化させることができる。
【０１６８】
図２２を参照すると、本発明の第９実施形態に係るＰＤＰのサステイン駆動装置はパネルキャパシタ（Ｃｐ）と、パネルキャパシタ（Ｃｐ）に接続されてパネルキャパシタ（Ｃｐ）に交流サステインパルスを供給するためのエネルギー回収装置（５０）を具備する。
【０１６９】
パネルキャパシタ（Ｃｐ）は、スキャン電極とサスティン電極とからなる放電維持電極である周知の第１電極（Ｙ）と第２電極（Ｚ）の間に形成される静電容量を等価的に示したものである。その際、第１電極（Ｙ）及び第２電極（Ｚ）のいずれか一方はエネルギー回収装置（５０）に接続され、他は基底電圧源（ＧＮＤ）に接続される。以下、エネルギー回収装置（５０）は第１電極（Ｙ）に交流サステインパルスを供給することと仮定する。
【０１７０】
エネルギー回収装置（５０）は図示しない一つの印刷回路ボード上に配置されて、第１電極（Ｙ）に正極性及び負極性の交流サステインパルスを供給する。このような、エネルギー回収装置（５０）は第１電極（Ｙ）及び第２電極（Ｚ）の間の電圧を回収して次の放電の際の駆動電圧として回収された電圧を利用する。
【０１７１】
このために、エネルギー回収装置（５０）は第１ノード（９Ｎ１）を間に置いて並列接続された第１、第２スイッチ（９Ｓ１、９Ｓ２）と、第１スイッチ（９Ｓ１）に接続された正極性サステイン電圧部（５２）と、第２スイッチ（９Ｓ２）に接続された負極性サステイン電圧部（５４）と、パネルキャパシタ（Ｃｐ）に接続された第２ノード（９Ｎ２）を間に置いて並列接続された第３、第４スイッチ（９Ｓ３、９Ｓ３）と、第２ノード（９Ｎ２）と第３ノード（９Ｎ３）の間に接続されたインダクター（Ｌ１）と、第３ノード（９Ｎ３）を間に置いて並列接続された第５、第６スイッチ（９Ｓ５、９Ｓ６）と、第３スイッチ（９Ｓ３）と第５スイッチ（９Ｓ５）の間に接続されて正極性サステイン電圧を充電する充電用第１キャパシタ（Ｃａ）と、第４スイッチ（９Ｓ４）及び第６スイッチ（９Ｓ６）の間に接続されて負極性サステイン電圧を充電する充電用第２キャパシタ（Ｃｂ）、そしてパネルキャパシタ（Ｃｐ）と基底電圧源（ＧＮＤ）の間に接続された第７スイッチ（９Ｓ７）を具備する。
【０１７２】
第１と第２スイッチ（９Ｓ１、９Ｓ２）は交番的にスイッチングされて正極性サステイン電圧（＋Ｖｓ／２）及び負極性サステイン電圧（−Ｖｓ／２）を充電用第１と第２キャパシタ（Ｃａ、Ｃｂ）の方に切り換える。
【０１７３】
正極性サステイン電圧部（５２）は第１スイッチ（９Ｓ１）と基底電圧源（ＧＮＤ）の間に接続された１／２サステイン電圧源（Ｖｓ／２）と、１／２サステイン電圧源（Ｖｓ／２）と基底電圧源（ＧＮＤ）の間に１／２サステイン電圧源（Ｖｓ／２）と並列接続されたエネルギー回収用第１キャパシタ（Ｃｓ＋）を具備する。
【０１７４】
１／２サステイン電圧源（Ｖｓ／２）はパネルキャパシタ（Ｃｐ）に１／２サステイン電圧（Ｖｓ／２）を供給して、エネルギー回収用第１キャパシタ（Ｃｓ＋）はサステイン放電の際にパネルキャパシタ（Ｃｐ）に充電された電圧を回収して充電すると同時に、その充電された電圧をパネルキャパシタ（Ｃｐ）に再供給する。その際、エネルギー回収用第１キャパシタ（Ｃｓ＋）には１／２サステイン電圧源（Ｖｓ／２）の半分値にあたる＋Ｖｓ／２の電圧が充電される。
【０１７５】
負極性サステイン電圧部（５４）は、第２スイッチ（９Ｓ２）と基底電圧源（ＧＮＤ）の間に接続された−１／２サステイン電圧源（−Ｖｓ／２）と、−１／２サステイン電圧源（−Ｖｓ／２）と基底電圧源（ＧＮＤ）の間に−１／２サステイン電圧源（−Ｖｓ／２）と並列接続されたエネルギー回収用第２キャパシタ（Ｃｓ−）を具備する。
【０１７６】
−１／２サステイン電圧源（−Ｖｓ／２）はパネルキャパシタ（Ｃｐ）に−１／２サステイン電圧（−Ｖｓ／２）を供給して、エネルギー回収用第２キャパシタ（Ｃｓ−）はサステイン放電の際にパネルキャパシタ（Ｃｐ）に充電される電圧を回収して充電すると同時に、その充電された電圧をパネルキャパシタ（Ｃｐ）に再供給する。その際、エネルギー回収用第２キャパシタ（Ｃｓ−）には−１／２サステイン電圧源（−Ｖｓ／２）の半分値にあたる−Ｖｓ／２の電圧が充電される。
【０１７７】
第５スイッチ（９Ｓ５）は第１ノード（９Ｎ１）に接続された第４ノード（９Ｎ４）と第３ノード（９Ｎ３）の間に接続されて第１ノード（９Ｎ１）上の電圧を充電用第１キャパシタ（Ｃａ）の方に切り換える。その際、第５スイッチ（９Ｓ５）と第３ノード（９Ｎ３）の間には第１ダイオード（９Ｄ１）が接続され、第５スイッチ（９Ｓ５）と充電用第１キャパシタ（Ｃａ）の間には第２ダイオード（９Ｄ２）が接続される。
【０１７８】
充電用第１キャパシタ（Ｃａ）は第５スイッチ（９Ｓ５）のスイッチングにより第１ノード（９Ｎ１）上の正極性電圧（＋Ｖｓ／２）が充電される。充電用第１キャパシタ（Ｃａ）に充電された正極性電圧（＋Ｖｓ／２）はエネルギー回収用第１キャパシタ（Ｃｓ＋）に充電された正極性電圧（Ｖｓ／２）が加わって正極性サステイン電圧（＋Ｖｓ）になりパネルキャパシタ（Ｃｐ）に供給される。一方、第１、第２ダイオード（９Ｄ１、９Ｄ２）は一定の方向にだけ電流パスを形成するようにする役目をする。特に、第２ダイオード（９Ｄ２）は充電用第１キャパシタ（Ｃａ）により生成された正極性サステイン電圧（＋Ｖｓ）がエネルギー回収用第１キャパシタ（Ｃｓ＋）に影響を与えることがないように遮断する役目を果たす。
【０１７９】
第６スイッチ（９Ｓ６）は第１ノード（９Ｎ１）に接続された第５ノード（９Ｎ５）と第３ノード（９Ｎ３）の間に接続されて第１ノード（９Ｎ１）上の電圧を充電用第２キャパシタ（Ｃｂ）の方に切り換える。その際、第６スイッチ（９Ｓ６）と第３ノード（９Ｎ３）の間には第３ダイオード（９Ｄ３）が接続され、第６スイッチ（９Ｓ６）と充電用第２キャパシタ（Ｃｂ）の間には第４ダイオード（９Ｄ４）が接続される。
【０１８０】
充電用第２キャパシタ（Ｃｂ）は第６スイッチ（９Ｓ６）のスイッチングにより第１ノード（９Ｎ１）上の負極性電圧（−Ｖｓ／２）を充電する。充電用第２キャパシタ（Ｃｂ）に充電された負極性電圧（−Ｖｓ／２）はエネルギー回収用第２キャパシタ（Ｃｓ−）に充電された負極性電圧（−Ｖｓ／２）が加わって負極性サステイン電圧（−Ｖｓ）になりパネルキャパシタ（Ｃｐ）に供給される。一方、第３、第４ダイオード（９Ｄ３、９Ｄ４）は一定の方向にだけ電流パスを形成するようにする役目をする。特に、第４ダイオード（９Ｄ４）は充電用第２キャパシタ（Ｃｂ）により生成された負極性サステイン電圧（−Ｖｓ）がエネルギー回収用第２キャパシタ（Ｃｓ−）に影響を与えないように遮断する役目を果たす。
【０１８１】
第３スイッチ（９Ｓ３）は充電用第１キャパシタ（Ｃａ）に充電された正極性サステイン電圧（＋Ｖｓ）をパネルキャパシタ（Ｃｐ）に供給してパネルキャパシタ（Ｃｐ）に供給された正極性サステイン電圧（＋Ｖｓ）がサステイン電圧（Ｖｓ）以下に落ちることを防止する。
【０１８２】
第４スイッチ（９Ｓ４）は充電用第２キャパシタ（Ｃｂ）に充電された負極性サステイン電圧（−Ｖｓ）をパネルキャパシタ（Ｃｐ）に供給してパネルキャパシタ（Ｃｐ）に供給された負極性サステイン電圧（−Ｖｓ）がサステイン電圧（−Ｖｓ）以上に上がることを防止する。ここで、第３及び４スイッチ（９Ｓ３、９Ｓ４）は耐圧がＶｓである電界效果トランジスターを使用する。
【０１８３】
インダクター（Ｌ１）はパネルキャパシタ（Ｃｐ）とともに共振回路を形成する。第７スイッチ（９Ｓ７）はスイッチングによりパネルキャパシタ（Ｃｐ）を基底電圧源（ＧＮＤ）に接続させる。
【０１８４】
図２３は図２２に図示されたスイッチのオン／オフタイミングとパネルキャパシタの出力波形を示すタイミング図及び波形図である。
【０１８５】
図２３を図２２を参照して本発明の実施形態に係るＰＤＰのサステイン駆動装置の動作過程を説明すると次の通りである。
【０１８６】
Ｔ１区間以前に第１電極（Ｙ）と第２電極（Ｚ）の間に充電された電圧、すなわちパネルキャパシタ（Ｃｐ）に充電された電圧は０Ｖであると仮定する。また、エネルギー回収用第１と第２キャパシタ（Ｃｓ＋、Ｃｓ−）と充電用第１と第２キャパシタ（Ｃａ、Ｃｂ）のそれぞれにはＶｓ／２及び−Ｖｓ／２の電圧がそれぞれ充電されていることに仮定する。
【０１８７】
Ｔ１区間では、第１と第５スイッチ（９Ｓ１、９Ｓ５）はターンオンになり、第２〜４スイッチ（９Ｓ２〜９Ｓ４）及び第６スイッチ（９Ｓ６）はオフ状態を維持する。また、第７スイッチ（９Ｓ７）はオン状態からターンオフする。この場合、第１スイッチ（９Ｓ１）がターンオンされてエネルギー回収用第１キャパシタ（Ｃｓ＋）から第１スイッチ（９Ｓ１）、第１ノード（９Ｎ１）、第４ノード（９Ｎ４）、第５スイッチ（９Ｓ５）、第１ダイオード（９Ｄ１）、第３ノード（９Ｎ３）、インダクター（Ｌ１）、第２ノード（９Ｎ２）及びパネルキャパシタ（Ｃｐ）につながる電流パスが形成される。その際、インダクター（Ｌ１）とパネルキャパシタ（Ｃｐ）及び充電用第１キャパシタ（Ｃａ）はＬＣ直列共振回路を形成する。
【０１８８】
エネルギー回収用第１キャパシタ（Ｃｓ＋）と充電用第１キャパシタ（Ｃａ）には正極性Ｖｓ／２の電圧が充電されていたので、ＬＣ直列共振回路でインダクター（Ｌ）の電流充／放電によりパネルキャパシタ（Ｃｐ）の電圧はエネルギー回収用第１キャパシタ（Ｃｓ＋）電圧と充電用第１キャパシタ（Ｃａ）の電圧の合計であるＶｓまで上昇する。その際、第３ノード（９Ｎ３）では第５スイッチ（９Ｓ５）のターンオンにより１／２サステイン電圧（Ｖｓ／２）を維持する。また、第２ノード（９Ｎ２）ではＬＣ直列共振回路により共振パルスが１／２サステイン電圧（Ｖｓ／２）以上に上昇するが、第１ダイオード（９Ｄ１）により阻止されて１／２サステイン電圧（Ｖｓ／２）を維持する。したがって、第２ノード（９Ｎ２）の１／２サステイン電圧（Ｖｓ／２）と充電用第１キャパシタ（Ｃａ）の（＋）端子である第６ノード（９Ｎ６）にすでに充電されている１／２サステイン電圧（Ｖｓ／２）が加わるので、得ようとするサステイン電圧（Ｖｓ）を得ることができる。
【０１８９】
このように、Ｔ１区間でパネルキャパシタ（Ｃｐ）の電圧が正極性サステイン電圧（＋Ｖｓ）まで上昇したので、サステイン放電を起こすために外部から供給する駆動電力はＶｓ／２と最小化される。
【０１９０】
Ｔ２区間では、第３スイッチ（９Ｓ３）がターンオンし、第１と第５スイッチ（９Ｓ１、９Ｓ５）はオン状態を維持すると同時に、第２、４、６、７スイッチ（９Ｓ２、９Ｓ４、９Ｓ６、９Ｓ７）はオフ状態を維持する。このように、第３スイッチ（９Ｓ３）がターンオンすると、正極性サステイン電圧源（Ｖｓ／２）からの電圧と充電用第１キャパシタ（Ｃａ）の電圧が加わった倍電圧（＋Ｖｓ）が第６及び第２ノード（９Ｎ６、９Ｎ２）を経由してパネルキャパシタ（Ｃｐ）に供給され、パネルキャパシタ（Ｃｐ）は正極性サステイン電圧（Ｖｓ）が維持される。このＴ２区間の間、第１キャパシタ（Ｃａ）は第５スイッチ（９Ｓ５）がターンオン状態を維持しているので第５スイッチ（９Ｓ５）を経由して供給される電圧により１／２サステイン電圧（Ｖｓ／２）を維持する。このために、第５スイッチ（９Ｓ５）のターンオフ時点は第３スイッチ（９Ｓ３）のターンオフ時点と同一にする。第２ダイオード（９Ｄ２）は充電用第１キャパシタ（Ｃａ）の電流が正極性サステイン電圧源（Ｖｓ／２）に流れないように電流パスを遮断する。
【０１９１】
Ｔ３区間では、第３、第５スイッチ（９Ｓ３、９Ｓ５）がターンオフすると同時に、第６スイッチ（９Ｓ６）がターンオンする。また、第１スイッチ（９Ｓ１）はターンオン状態を維持して、第２、４、７スイッチ（９Ｓ２、９Ｓ４、９Ｓ７）はオフ状態を維持する。これにより、パネルキャパシタ（Ｃｐ）からインダクター（Ｌ１）、第６スイッチ（９Ｓ６）及び第１スイッチ（９Ｓ１）を通してエネルギー回収用第１キャパシタ（Ｃｓ＋）につながる電流パスが形成される。したがって、パネルキャパシタ（Ｃｐ）に充電された電圧がエネルギー回収用第１キャパシタ（Ｃｓ＋）に回収されて、パネルキャパシタ（Ｃｐ）は基底電位に下降する。言い換えると、パネルキャパシタ（Ｃｐ）は放電して、パネルキャパシタ（Ｃｐ）から放電する無效電力の電圧成分がインダクター（Ｌ１）、第３ダイオード（９Ｄ３）、第６スイッチ（９Ｓ６）、第１スイッチ（９Ｓ１）を通して回収されてエネルギー回収用第１キャパシタ（Ｃｓ＋）に充電される。
【０１９２】
引き継いて、Ｔ４区間では、第１スイッチ（９Ｓ１）がターンオフすると同時に、第７スイッチ（９Ｓ７）がターンオンする。また、Ｔ４区間では、第２〜第５スイッチ（９Ｓ２〜９Ｓ５）はオフ状態を維持して、第６スイッチ（９Ｓ６）はターンオン状態を維持する。その際、第６スイッチ（９Ｓ６）は第７スイッチ（９Ｓ７）がターンオン状態の間にはオフ状態になってもよい。これにより、第７スイッチ（９Ｓ７）がターンオンするとパネルキャパシタ（Ｃｐ）から基底電圧源（ＧＮＤ）への電流パスが形成されてパネルキャパシタ（Ｃｐ）の電圧が基底電圧状態になる。
【０１９３】
その後、Ｔ５区間では、第２、第６スイッチ（９Ｓ２、９Ｓ６）がターンオンし、第１，３〜５スイッチ（９Ｓ１、９Ｓ３〜９Ｓ５）はオフ状態を維持する。また、第７スイッチ（９Ｓ７）はターンオフする。この場合、第２スイッチ（９Ｓ２）がターンオンして、エネルギー回収用第２キャパシタ（Ｃｓ−）から第２スイッチ（９Ｓ２）、第１ノード（９Ｎ１）、第５ノード（９Ｎ５）、第６スイッチ（９Ｓ６）、第３ダイオード（９Ｄ３）、第３ノード（９Ｎ３）、インダクター（Ｌ１）、第２ノード（９Ｎ２）及びパネルキャパシタ（Ｃｐ）につながる電流パスが形成される。その際、インダクター（Ｌ１）とパネルキャパシタ（Ｃｐ）及び充電用第２キャパシタ（Ｃｂ）はＬＣ直列共振回路を形成する。
【０１９４】
エネルギー回収用第２キャパシタ（Ｃｓ−）と充電用第２キャパシタ（Ｃｂ）には負極性−Ｖｓ／２の電圧が充電されていたので、ＬＣ直列共振回路でインダクター（Ｌ１）の電流充／放電により、パネルキャパシタ（Ｃｐ）の電圧はエネルギー回収用第２キャパシタ（Ｃｓ−）電圧と充電用第２キャパシタ（Ｃｂ）の電圧の合計である−Ｖｓまで上昇する。その際、第３ノード（９Ｎ３）では第６スイッチ（９Ｓ６）のターンオンにより負極性１／２サステイン電圧（−Ｖｓ／２）を維持する。また、第２ノード（９Ｎ２）ではＬＣ直列共振回路により共振パルスが負極性１／２サステイン電圧（−Ｖｓ／２）以上に上昇するが、第３ダイオード（９Ｄ３）により阻止されて負極性１／２サステイン電圧（−Ｖｓ／２）を維持する。したがって、第２ノード（９Ｎ２）の負極性１／２サステイン電圧（−Ｖｓ／２）と充電用第２キャパシタ（Ｃｂ）の（−）端子である第７ノード（９Ｎ７）にすでに充電されている負極性１／２サステイン電圧（−Ｖｓ／２）が加わって、得ようとする負極性サステイン電圧（−Ｖｓ）を得ることができる。
【０１９５】
このように、Ｔ５区間でパネルキャパシタ（Ｃｐ）の電圧が負極性サステイン電圧（−Ｖｓ）まで上昇したので、サステイン放電を起こすために外部から供給する駆動電力は−Ｖｓ／２に最小化される。
【０１９６】
Ｔ６区間では、第４スイッチ（９Ｓ４）がターンオンして、第２、第６スイッチ（９Ｓ２、９Ｓ６）はオン状態を維持すると同時に、第１，３，５，７スイッチ（９Ｓ１、９Ｓ３、９Ｓ５、９Ｓ７）はオフ状態を維持する。このように、第４スイッチ（９Ｓ４）がターンオンすると、負極性サステイン電圧源（−Ｖｓ／２）からの電圧に充電用第２キャパシタ（Ｃｂ）の電圧が加わった倍電圧（−Ｖｓ）が第７、第２ノード（９Ｎ７、９Ｎ２）を経由してパネルキャパシタ（Ｃｐ）に供給され、パネルキャパシタ（Ｃｐ）は負極性サステイン電圧（−Ｖｓ）を維持する。このＴ６区間の間、第２キャパシタ（Ｃｂ）は第６スイッチ（９Ｓ６）がターンオン状態を維持しているので、第６スイッチ（９Ｓ６）を経由して供給される電圧により負極性１／２サステイン電圧（−Ｖｓ／２）を維持する。このため、第６スイッチ（９Ｓ６）のターンオフ時点は第４スイッチ（９Ｓ４）のターンオフ時点と同一になる。第４ダイオード（９Ｄ４）は充電用第２キャパシタ（Ｃｂ）の電流が負極性サステイン電圧源（−Ｖｓ／２）に流れないように電流パスを遮断する。
【０１９７】
Ｔ７区間では、第４、第６スイッチ（９Ｓ４、９Ｓ６）がターンオフすると同時に、第５スイッチ（９Ｓ５）がターンオンする。また、第２スイッチ（９Ｓ２）はオン状態を維持して、第１，３、７スイッチ（９Ｓ１、９Ｓ３、９Ｓ７）はオフ状態を維持する。これにより、パネルキャパシタ（Ｃｐ）からインダクター（Ｌ１）、第５スイッチ（９Ｓ５）、第２スイッチ（９Ｓ２）を通してエネルギー回収用第２キャパシタ（Ｃｓ−）につながる電流パスが形成され、パネルキャパシタ（Ｃｐ）に充電された電圧がエネルギー回収用第２キャパシタ（Ｃｓ−）に回収され、パネルキャパシタ（Ｃｐ）は基底電位に下降する。言い換えると、パネルキャパシタ（Ｃｐ）が放電して、パネルキャパシタ（Ｃｐ）から放電する無效電力の電圧成分がインダクター（Ｌ１）、第１ダイオード（９Ｄ１）、第５スイッチ（９Ｓ５）及び第２スイッチ（９Ｓ２）を通して回収され、エネルギー回収用第２キャパシタ（Ｃｓ−）に充電される。
【０１９８】
引き継いて、Ｔ８区間では、第２、第５スイッチ（９Ｓ２、９Ｓ５）がターンオフすると同時に、第７スイッチ（９Ｓ７）がターンオンする。また、Ｔ８区間では、第１，３，４、６スイッチ（９Ｓ１、９Ｓ３、９Ｓ４、９Ｓ６）はオフ状態を維持する。これにより、第７スイッチ（９Ｓ７）がターンオンするとパネルキャパシタ（Ｃｐ）から基底電圧源（ＧＮＤ）での電流パスが形成されてパネルキャパシタ（Ｃｐ）の電圧が基底電圧状態になる。
【０１９９】
このような、本発明の第９実施形態に係るＰＤＰのサステイン駆動装置は図２４に示したように第１電極（Ｙ）には上述したＴ１〜Ｔ８区間の間の動作過程が周期的に繰り返されて得られる交流サステインパルスを供給する。また、第２電極（Ｚ）は別の駆動回路が必要ではないので放熱版（図示しない）またはフレームを通して基底電圧源にだけ連結される。これにより、パネルキャパシタ（Ｃｐ）には図２４に図示されたように交流駆動パルスが供給される。
【０２００】
このような、本発明の第９実施形態に係るＰＤＰのサステイン駆動装置は一つの印刷回路ボード上に設置された正極性１／２電圧源と負極性１／２電圧源を利用して正極性サステインパルス及び負極性サステインパルスを同時に生成して、生成された交流サステインパルスをサステイン電極対の中からいずれか一つに供給すると同時に、サステイン電極対の中で他の一つには基準電圧を供給する。これにより、本発明の第９実施形態に係るＰＤＰのサステイン駆動装置はサステイン電極対の中からいずれか一つにだけ交流サステインパルスを供給するだけなので、一つのサステイン駆動装置の単一化された印刷回路ボード構成が可能になる。さらに、本発明の第９実施形態に係るＰＤＰのサステイン駆動装置は従来のＰＤＰのサステイン駆動装置に対してサステイン電圧（Ｖｓ）を１／２に低くすることができ、スイッチ素子の耐圧電圧を２倍のサステイン電圧（２Ｖｓ）からサステイン電圧（Ｖｓ）に低くすることができ、スイッチ素子として低圧スイッチ素子を用いることができ費用を低減することができる。
【０２０１】
【発明の効果】
上述したところのように、本発明に係るＰＤＰのサステイン駆動装置は１／２サステイン電圧源に充電キャパシタを直接接続して１／２サステイン電圧と充電キャパシタ電圧を加えてパネルキャパシタに供給する。また、充電キャパシタの充電パスをパネルの充／放電パスと分離して駆動する。これにより、本発明は従来のＰＤＰのサステイン駆動装置に対してサステイン電圧を１／２に低くすることができ、それに伴って消費電力をそれだけ低くすることができる。一方、倍圧された電圧を利用して放電維持期間にサステイン電圧を安定的に供給して駆動波形を安定化させることができる。
【０２０２】
以上説明した内容を通して当業者であれば本発明の技術思想を一脱しない範囲で多様な変更及び修正が可能である。したがって、本発明の技術的範囲は明細書の詳細な説明に記載した内容に限定されるのではなく特許請求の範囲により決められなければならない。
【図面の簡単な説明】
【図１】従来のプラズマディスプレイパネルのエネルギー回収装置を示す回路図である。
【図２】図２は図１に図示した各スイッチのオン／オフタイミングによる波形を示すタイミング図及び波形図である。
【図３】図３は従来のプラズマディスプレイパネルの低電圧駆動エネルギー回収装置を示す回路図である。
【図４】図４は図３に図示した各スイッチのオン／オフタイミングによる波形を示すタイミング図及び波形図である。
【図５】図５は本発明の第１実施形態に係るプラズマディスプレイパネルのサステイン駆動装置を示す図面である。
【図６】図６は図５に図示した各スイッチのオン／オフタイミングによる波形を示すタイミング図及び波形図である。
【図７】図７は本発明に係るプラズマディスプレイパネルのサステイン駆動装置の出力波形及び第３ノード（Ｎ３３）にかかる電圧を示す波形図である。
【図８】図８は本発明の第２実施形態に係るプラズマディスプレイパネルのサステイン駆動装置を示す回路図である。
【図９】図９は本発明の第３実施形態に係るプラズマディスプレイパネルのサステイン駆動装置を示す回路図である。
【図１０】図１０は図９に図示した各スイッチのオン／オフタイミングによる波形を示すタイミング図及び波形図である。
【図１１】図１１は本発明の第４実施形態に係るプラズマディスプレイパネルのサステイン駆動装置を示す回路図である。
【図１２】図１２は図１１に図示した各スイッチのオン／オフタイミングによる波形を示すタイミング図及び波形図である。
【図１３】図１３は図１１の実験によるプラズマディスプレイパネルのサステイン駆動装置の駆動波形を示すグラフである。
【図１４】図１４は本発明の第５実施形態に係るプラズマディスプレイパネルのサステイン駆動装置を示す回路図である。
【図１５】図１５は図１４に図示した各スイッチのオン／オフタイミングによる波形を示すタイミング図及び波形図である。
【図１６】図１６は本発明の第６実施形態に係るプラズマディスプレイパネルのサステイン駆動装置を示す回路図である。
【図１７】図１７は図１６に図示した各スイッチのオン／オフタイミングによる波形を示すタイミング図及び波形図である。
【図１８】図１８は本発明の第７実施形態に係るプラズマディスプレイパネルのサステイン駆動装置を示す回路図である。
【図１９】図１９は図１８に図示した各スイッチのオン／オフタイミングによる波形を示すタイミング図及び波形図である。
【図２０】図２０は本発明の第８実施形態に係るプラズマディスプレイパネルのサステイン駆動装置を示す図面である。
【図２１】図２１は図２０に図示した各スイッチのオン／オフタイミングによる波形を示すタイミング図及び波形図である。
【図２２】図２２は本発明の第９実施形態に係るプラズマディスプレイパネルのサステイン駆動装置を示す回路図である。
【図２３】図２３は図２２に図示した各スイッチのオン／オフタイミングによる波形を示すタイミング図及び波形図である。
【図２４】図２４は図２２に図示したプラズマディスプレイパネルのサステイン駆動装置によりパネルキャパシタに印加される電圧波形を示す波形図である。
【符号の説明】
５０：エネルギー回収装置
５２：正極性サステイン電圧部
５４：負極性サステイン電圧部
【図１】
2004029817.tif 000003
【図２】
2004029817.tif 000004
【図３】
2004029817.tif 000005
【図４】
2004029817.tif 000006
【図５】
2004029817.tif 000007
【図６】
2004029817.tif 000008
【図７】
2004029817.tif 000009
【図８】
2004029817.tif 000010
【図９】
2004029817.tif 000011
【図１０】
2004029817.tif 000012
【図１１】
2004029817.tif 000013
【図１２】
2004029817.tif 000014
【図１３】
2004029817.tif 000015
【図１４】
2004029817.tif 000016
【図１５】
2004029817.tif 000017
【図１６】
2004029817.tif 000018
【図１７】
2004029817.tif 000019
【図１８】
2004029817.tif 000020
【図１９】
2004029817.tif 000021
【図２０】
2004029817.tif 000022
【図２１】
2004029817.tif 000023
【図２２】
2004029817.tif 000024
【図２３】
2004029817.tif 000025
【図２４】
2004029817.tif 000026